(57)【要約】  ユーザ側とは反対側に向けて使用する機能部あるいはユーザに向けて使用する機能部をユーザが自然な姿勢で使用でき、装着状態によらずに、ユーザにとって自然な表示方向での表示を行なう。ブレスレット型通信端末（２００）は、第１機能部（１２０）と、第２機能部（１３０）と、装着状態に応じて表示部（１２）における表示方向を制御する表示方向制御部（１１２１）とを備える。
2015076206.tif 000002
【特許請求の範囲】
【請求項１】
表示部を備えた通信端末であって、
ユーザが上記通信端末を腕に装着した状態でユーザ側とは反対側に向けて使用する第１機能部が配置され、あるいは、該第１機能部を配置可能であり、
上記通信端末が装着されるのがユーザの右腕か左腕か、および、上記通信端末が腕に装着される時に上記表示部は該腕の内側にあるか外側にあるか、に応じて、上記表示部における表示内容の表示方向を制御する表示方向制御部を備えていることを特徴とする通信端末。
【請求項２】
上記第１機能部は、近距離非接触無線通信を行なうためのアンテナ、撮像部、発光部、および受光部の少なくともいずれか１つであることを特徴とする請求項１に記載の通信端末。
【請求項３】
上記第１機能部は、（ｉ）近距離非接触無線通信を行なうためのアンテナと、（ｉｉ）撮像部、発光部、および受光部の少なくとも１つとを含むことを特徴とする請求項１に記載の通信端末。
【請求項４】
表示部を備えた通信端末であって、
ユーザが上記通信端末を腕に装着した状態でユーザに向けて使用する第２機能部が配置され、あるいは、該第２機能部を配置可能であり、
上記通信端末が装着されるのがユーザの右腕か左腕か、および、上記通信端末が腕に装着される時に上記表示部は該腕の内側にあるか外側にあるか、に応じて、上記表示部における表示内容の表示方向を制御する表示方向制御部を備えていることを特徴とする通信端末。
【請求項５】
上記第２機能部は、ユーザ入力受付部、発光通知部、スピーカ部および計測センサ部の少なくともいずれか１つであることを特徴とする請求項４に記載の通信端末。
【請求項６】
上記通信端末が装着されるのがユーザの右腕か左腕か、および、上記通信端末が腕に装着される時に上記表示部は該腕の内側にあるか外側にあるかが選択される入力部をさらに備え、
上記表示方向制御部は、上記入力部から取得する選択結果に応じて、上記表示部における表示内容の表示方向を制御することを特徴とする請求項１から５のいずれか１項に記載の通信端末。
【請求項７】
上記通信端末の加速度を検出する加速度センサをさらに備え、
上記表示方向制御部は、上記加速度センサから取得する検出結果に基づいて、上記通信端末が装着されるのがユーザの右腕か左腕か、および、上記通信端末が腕に装着される時に上記表示部は該腕の内側にあるか外側にあるかを判定し、上記表示部における表示内容の表示方向を制御することを特徴とする請求項１から５のいずれか１項に記載の通信端末。
【請求項８】
外部の設定装置と通信を行なうための第２アンテナをさらに備え、
上記表示方向制御部は、上記第２アンテナを介して、上記外部の設定装置から、上記通信端末が装着されるのがユーザの右腕か左腕か、および、上記通信端末が腕に装着される時に上記表示部は該腕の内側にあるか外側にあるかについての情報を取得し、該情報に基づいて、上記表示部における表示内容の表示方向を制御することを特徴とする請求項１から５のいずれか１項に記載の通信端末。
【請求項９】
上記表示方向制御部を含む、自端末の機能を統括して制御する制御部は、上記アンテナから分離して配置されていることを特徴とする請求項２または３に記載の通信端末。
【請求項１０】
上記アンテナは電子マネー決済機能を備える非接触型ＩＣチップのアンテナであり、
上記表示部には、上記非接触型ＩＣチップと外部の電子マネー決済装置との間で行われる電子マネー決済に係る情報であって、上記非接触型ＩＣチップまたは上記電子マネー決済装置から取得される情報が表示されることを特徴とする請求項２または３に記載の通信端末。
【請求項１１】
上記アンテナは非接触型ＩＣチップのアンテナであり、
上記表示部には、上記非接触型ＩＣチップの識別情報が表示されることを特徴とする請求項２または３に記載の通信端末。
【請求項１２】
表示部を備えた通信端末の制御方法であって、
上記通信端末は、ユーザが上記通信端末を腕に装着した状態でユーザ側とは反対側に向けて使用する第１機能部が配置され、あるいは、該第１機能部を配置可能であり、
上記通信端末が装着されるのがユーザの右腕か左腕か、および、上記通信端末が腕に装着される時に上記表示部は該腕の内側にあるか外側にあるか、に応じて、上記表示部における表示内容の表示方向を制御する表示方向制御ステップを含むことを特徴とする通信端末の制御方法。
【請求項１３】
表示部を備えた通信端末の制御方法であって、
上記通信端末は、ユーザが上記通信端末を腕に装着した状態でユーザに向けて使用する第２機能部が配置され、あるいは、該第２機能部を配置可能であり、
上記通信端末が装着されるのがユーザの右腕か左腕か、および、上記通信端末が腕に装着される時に上記表示部は該腕の内側にあるか外側にあるか、に応じて、上記表示部における表示内容の表示方向を制御する表示方向制御ステップを含むことを特徴とする通信端末の制御方法。
【請求項１４】
請求項１から１１のいずれか１項に記載の通信端末としてコンピュータを機能させるための制御プログラムであって、コンピュータを上記表示方向制御部として機能させるための制御プログラム。
【発明の詳細な説明】
【技術分野】
【０００１】
本発明は、ユーザが腕に装着した状態で近距離非接触無線通信を行なう、表示部を備えた通信端末等に関する。
【背景技術】
【０００２】
従来、腕時計のように人の腕に装着することができる通信端末が知られている。【０００３】
例えば、下掲の特許文献１には、非接触データ通信機能を有する電子時計が開示されている。【０００４】
また、下掲の特許文献２には、腕に携帯する送受信機であって、その腕に巻きつけるバンド上に可撓性誘電体基板を具備し、この基板上に導体線を配している送受信機が開示されている。
【先行技術文献】
【特許文献】
【０００５】
【特許文献１】国際公開ＷＯ２００３／０２３５２５（２００３年０３月２０日国際公開）
【特許文献２】日本国登録実用新案公報「実開昭６３−１７１０１５号公報（１９８８年１１月０８日公開）」
【発明の概要】
【発明が解決しようとする課題】
【０００６】
しかしながら、上述のような従来技術に係る通信端末には、該通信端末を用いて近距離非接触データ通信を行なおうとする際に、ユーザは手首を捻った不自然な形をとらなくてはならないという問題があった。例えばＦｅｌｉＣａ（登録商標）チップのような非接触型ＩＣチップを内蔵する従来の腕時計型の通信端末は、ＦｅｌｉＣａ（登録商標）アンテナのようなＮＦＣ（Near Field Communication：近距離通信）アンテナが、文字盤の周囲に配置されている。つまり、従来の腕時計型の通信端末において、上記ＮＦＣアンテナは、ユーザの腕（手首）の手の甲側（または手のひら側）に配置されている。ここで、電子マネー決済装置のような近距離非接触無線通信を行なうリーダ・ライタは、電磁誘導によりＦｅｌｉＣａ（登録商標）チップなどのＩＣチップに電力を供給することで該チップ内部のメモリに記憶されているデータを受信し、これを復調して情報を読み込む。また、上記リーダ・ライタは、情報を所定の変調方式に基づいて最適な搬送波に変換し、これを送信してデータを上記ＩＣチップ内部のメモリに書き込む。従って、従来の腕時計型の通信端末を用いて電子マネー決済を行なおうとする場合、ユーザは、上記ＮＦＣアンテナの配置されている、手首の手の甲側または手のひら側を、電子マネー決済装置に近接させなくてはならず、不自然な形に手首を捻る必要があった。同様に、腕に装着することができる通信端末において、カメラ、受光センサ、およびライトなど、ユーザ側とは反対側に向けて使用する機能部が文字盤の周囲に配置されている場合、該機能部を使用する際、不自然な形に手首を捻る必要があった。さらに、ユーザ操作を受け付けるボタン、マイク、および点滅等によりユーザに注意を促すためのＬＥＤなど、ユーザに向けて使用する機能部が文字盤の周囲に配置されている場合にも、ユーザは、該機能部を使用する際、不自然な形に手首を捻る必要があった。【０００７】
また、上述のような従来技術に係る腕時計型通信端末は、該腕時計型通信端末が備える表示部における表示内容が例えばデジタル数字による時刻などの場合、該表示内容の表示方向をユーザにとって見易い表示方向に合わせると、右腕に装着される場合には、表示方向が右腕の長手方向おいて手側から肘側に表示されるのに対し、左腕に装着される場合には、表示方向が左腕の長手方向において肘側から手側に表示される。そのため、表示部の周辺にスイッチなどが設けられている場合には、該腕時計型通信端末が右腕に装着されている場合と、左腕に装着されている場合とで、該スイッチの位置が肘側に位置したり、手側に位置したりしてしまい、利便性が悪いといった問題があった。従って、利便性を損なわないよう、該腕時計型通信端末が右腕に装着されている場合と左腕に装着されている場合とで、表示部の周辺に設けられているスイッチなどの位置が変わらないようにし、かつ、ユーザにとって自然な表示方向での表示を行なうことができるように、表示部における表示内容の表示方向を制御することが望ましい。【０００８】
本発明は、上記の問題点に鑑みてなされたものであり、その目的は、ユーザ側とは反対側に向けて使用する機能部あるいはユーザに向けて使用する機能部をユーザが自然な姿勢で使用できるとともに、装着されるのが右腕か左腕か、および装着される際に自端末の表示部がユーザの腕の内側にあるか外側にあるか、によらずに、ユーザにとって自然な表示方向での表示を行なうことができる通信端末等を提供することにある。
【課題を解決するための手段】
【０００９】
上記の課題を解決するために、本発明の一態様に係る通信端末は、表示部を備えた通信端末であって、ユーザが上記通信端末を腕に装着した状態でユーザ側とは反対側に向けて使用する第１機能部が配置され、あるいは、該第１機能部を配置可能であり、上記通信端末が装着されるのがユーザの右腕か左腕か、および、上記通信端末が腕に装着される時に上記表示部は該腕の内側にあるか外側にあるか、に応じて、上記表示部における表示内容の表示方向を制御する表示方向制御部を備えていることを特徴としている。【００１０】
また、本発明の一態様に係る通信端末は、表示部を備えた通信端末であって、ユーザが上記通信端末を腕に装着した状態でユーザに向けて使用する第２機能部が配置され、あるいは、該第２機能部を配置可能であり、上記通信端末が装着されるのがユーザの右腕か左腕か、および、上記通信端末が腕に装着される時に上記表示部は該腕の内側にあるか外側にあるか、に応じて、上記表示部における表示内容の表示方向を制御する表示方向制御部を備えていることを特徴としている。【００１１】
本発明の一態様に係る通信端末の制御方法は、表示部を備えた通信端末の制御方法であって、上記通信端末は、ユーザが上記通信端末を腕に装着した状態でユーザ側とは反対側に向けて使用する第１機能部が配置され、あるいは、該第１機能部を配置可能であり、上記通信端末が装着されるのがユーザの右腕か左腕か、および、上記通信端末が腕に装着される時に上記表示部は該腕の内側にあるか外側にあるか、に応じて、上記表示部における表示内容の表示方向を制御する表示方向制御ステップを含むことを特徴としている。【００１２】
また、本発明の一態様に係る通信端末の制御方法は、表示部を備えた通信端末の制御方法であって、上記通信端末は、ユーザが上記通信端末を腕に装着した状態でユーザに向けて使用する第２機能部が配置され、あるいは、該第２機能部を配置可能であり、上記通信端末が装着されるのがユーザの右腕か左腕か、および、上記通信端末が腕に装着される時に上記表示部は該腕の内側にあるか外側にあるか、に応じて、上記表示部における表示内容の表示方向を制御する表示方向制御ステップを含むことを特徴としている。
【発明の効果】
【００１３】
上記の構成によれば、上記通信端末は、ユーザ側とは反対側に向けて使用する機能部あるいはユーザに向けて使用する機能部をユーザが自然な姿勢で使用できるとともに、装着されるのが右腕か左腕か、および装着される際に上記通信端末の表示部がユーザの腕の内側にあるか外側にあるか、によらずに、ユーザにとって自然な表示方向での表示を行なうことができるという効果を奏する。
【図面の簡単な説明】
【００１４】
【図１】本発明の一実施形態に係るブレスレット型通信端末の要部構成の一例を示すブロック図である。
【図２】左腕および右腕にそれぞれ装着した場合の図１の端末の外観を示す図である。
【図３】図１の端末を左腕に装着して電子決済を行なう状態を示す図である。
【図４】図２の左腕に装着された端末を手のひら側から手の甲側の方向に沿って切断した断面における構造の概略を示す説明図である。
【図５】図２の左腕に装着された端末を、該端末のベルトの長手方向に仮に伸ばした状態で示す説明図である。
【図６】図１の端末のＮＦＣアンテナについて、アンテナ線の配置を示す図である。
【図７】図１の端末の処理の流れを示すフローチャートである。
【図８】図１の端末について、入力部の配置の仕方の変形例を示す図である。
【図９】本発明の別の実施形態に係るブレスレット型通信端末の要部構成の一例を示すブロック図である。
【図１０】本発明のさらに別の実施形態に係るブレスレット型通信端末の要部構成の一例を示すブロック図である。
【図１１】本発明の他の実施形態に係るブレスレット型通信端末の要部構成の一例を示すブロック図である。
【図１２】図１１に示す端末を含む電子マネー決済システムの概要を示す図である。
【図１３】図１２の電子マネー決済システムにおけるスマートフォンの処理の流れを示すフローチャートである。
【図１４】本発明のさらに別の実施形態に係るブレスレット型通信端末の要部構成の一例を示すブロック図である。
【図１５】図１４に示す端末について、該端末を左腕に装着した状態で該端末を手のひら側から手の甲側の方向に沿って切断した断面における構造の概略を示す説明図である。
【発明を実施するための形態】
【００１５】
〔実施形態１〕
以下、本発明の実施形態について、図１から図８に基づいて説明する。ここでは、本発明の一態様に係る通信端末を、ブレスレット型通信端末１（以下、端末１と略記する）として実現した例について説明する。また、ユーザは、リーダ・ライタを含む電子マネー決済装置８に端末１を近接させることで、電子マネーによる支払いを行うことができるものとする。ただし、端末１との間で近距離非接触無線通信を行なうことのできる装置は、電子マネー決済装置８に限られず、近距離非接触無線通信機能を有する装置であればよい。なお、以下の説明においては、ユーザが端末１を主として手首に装着する例を説明する。すなわち、以下の説明において「小指側（尺骨側）」または「親指側（橈骨側）」と記載している箇所については、ユーザが端末１を手首に装着している場合を想定している。しかしながら、ユーザは端末１を手首以外の前腕、さらには上腕に装着してもよい。すなわち、ユーザは端末１を腕の任意の位置に装着することができる。ユーザが端末１を上腕に装着する場合、上記「小指側（尺骨側）」との記載は、「腕を体に沿って降ろしたときの上腕の後ろ側（背中側）」と読み替えるものとする。同様に、上記「親指側（橈骨側）」との記載は、ユーザが端末１を上腕に装着する場合、「腕を体に沿って降ろしたときの上腕の正面側」と読み替えるものとする。
【００１６】
また、以下の説明においては、表示部１２に表示される文字列について、「横書き」の例を説明するが、表示部１２に表示される文字列は「縦書き」であっても好い。また、表示部１２に表示される文字列が複数行の場合、端末１は特に効果的である。
【００１７】
（端末の概要）
最初に端末１の概要を説明しておけば、以下の通りである。すなわち、端末１は、表示部１２を備えた通信端末であって、端末１がユーザの腕に装着された状態において該腕の尺骨側に、ユーザが端末１を腕に装着した状態で近距離非接触無線通信を行なうためのＮＦＣ（Near Field Communication：近距離通信）アンテナ１１（第１アンテナ）が配置され、端末１が装着されるのがユーザの右腕か左腕か、および、端末１が腕に装着される時に表示部１２は該腕の内側にあるか外側にあるか、に応じて、表示部１２における表示内容の表示方向を制御する表示方向制御部１１２１を備えている。つまり、表示方向制御部１１２１は、端末１が装着されるのが右腕か左腕か、および、端末１が装着される時に表示部１２は腕の内側（手のひら側）にあるか外側（手の甲側）にあるか、に応じて、表示部１２における表示内容の表示の向きを切り替える。従って、ＮＦＣアンテナ１１が常に腕の尺骨側に位置するように、表示部１２における表示内容の表示の向きが切り替えられるため、ユーザは自然な姿勢で近距離非接触無線通信を行なうことができ、かつ、ユーザにとって自然な表示方向で、表示部１２に表示がなされる。また、ユーザは、ウェアラブルな端末１を用いて、例えば電子マネーでの支払いなどの近距離非接触無線通信を行なうことができるようになるため、近距離非接触無線通信のための電子決済用カードなどの他のものを携帯する必要がなくなる。さらに、電子決済用カードなどをかばんから取り出す作業が不要になるため、ユーザはよりスピーディに支払いを済ませることができる。以下詳細を説明する。
【００１８】
図２は、左腕および右腕にそれぞれ装着した場合の端末１の外観を示す図である。なお、以下では、端末１が、ユーザの左腕（左手首）に、表示部１２が該腕の内側（手のひら側）にくるように装着される場合に、表示部１２に表示される内容の表示方向を「正方向」とする。また、端末１が、ユーザの右腕（右手首）に、表示部１２が該腕の内側（手のひら側）にくるように装着される場合に、表示部１２に表示される内容の表示方向を「逆方向」とする。表示方向制御部１１２１は、端末１が右腕に装着されるか左腕に装着されるか、および、端末１が装着される時に表示部１２は該腕の内側（手のひら側）にあるか外側（手の甲側）にあるかに応じて、表示部１２に表示させる内容の表示方向を上下左右反転させる。すなわち、端末１が、左腕に、かつ表示部１２が該腕の内側にくるように装着される場合、または、右腕に、かつ表示部１２が該腕の外側（手の甲側）にくるように装着される場合、表示方向制御部１１２１は、表示部１２に「正方向」に表示内容を表示する。一方、端末１が、左腕に、かつ表示部１２が該腕の外側にくるように装着される場合、または、右腕に、かつ表示部１２が該腕の内側にくるように装着される場合、表示方向制御部１１２１は、表示部１２に「逆方向」に表示内容を表示する。
【００１９】
従って、端末１は、左右どちらの腕に装着されても、装着される時に表示部１２が腕の内側にあっても外側にあっても、ＮＦＣアンテナ１１がユーザの腕の尺骨側に位置し、かつ、表示部１２における表示内容がユーザから見て上下左右反転してしまうことがない。つまり、装着されるのが左腕か右腕か、および、装着される時に表示部１２は腕の内側に位置するか外側に位置するか、に応じて、表示方向制御部１１２１は、表示部１２における表示方向を制御する。それにより、ユーザは、端末１を左右どちらの腕に装着するとしても、ＮＦＣアンテナ１１が常に腕の尺骨側に位置するように端末１を装着することができ、かつ、ユーザから見て表示部１２に表示される内容の表示方向は変わらない。端末１を装着した場合にＮＦＣアンテナ１１が常に小指側（尺骨側）に位置するようにＮＦＣアンテナ１１が配置されていることによって、ユーザは、端末１のＮＦＣアンテナ１１を、決済時に自然な動作で電子マネー決済装置８にタッチさせやすい。また、端末１を左右の手首に付けかえても、表示部１２における表示方向は常に、表示方向制御部１１２１によって、ユーザから表示部１２を見て左上から開始され、右下で終了するように制御される。従って、ユーザは表示部１２に表示される表示内容を容易に把握することができる。
【００２０】
端末１の表示部１２は、端末１が腕に装着される場合に該腕の内側に、つまり該腕の手のひら側に、位置するように配置されている。また、表示部１２の形状について、端末１を装着したときにユーザの手首の関節に端末１が重なって、ユーザが手首を曲げるのが困難になることがなければ、表示部１２の、腕を周回する方向に対して直角方向の長さは任意である。表示部１２は、例えば、上記腕を周回する方向に細長い形状であってもよい。表示部１２が腕（手首）の内側に位置するように配置されていることによって、表示部１２に表示される内容は、ユーザ以外の他者から見えにくくなる。特に、第１通信制御部１１１などから取得される課金情報などの情報が表示部１２に表示される場合、ユーザは、ユーザ以外の他者に、表示部１２に表示される内容を覗かれたくないと考えられる。端末１においては、表示部１２が手首の内側に位置するように配置されているため、ユーザは、表示部１２に表示される課金情報などの表示内容をユーザ以外の他者から覗かれることを防ぎやすくなる。なお、表示部１２には、第１通信制御部１１１とは関係ない、例えば時刻などの情報が表示されてもよい。表示部１２に表示される内容について、詳細は後述する。また、一般的に、各種の情報が表示される表示部１２が腕（手首）の内側にあることによって、ユーザは心理的にも安心感を持ちやすい。
【００２１】
また、表示部１２は、端末１を装着した腕（手首）の内側に位置するように配置されていることによって、該腕の尺骨側または橈骨側に配置される場合に比べて、大きな面積を有することができる。特に、表示部１２を、腕（手首）の周回方向に長く、腕の周回方向に対して直角方向に短い形状にすることによって、腕（手首）の周回方向に短く、腕の周回方向に対して直角方向に長い形状にする場合に比べて、表示部１２の面積を大きく確保することができる。つまり、表示部１２を、腕（手首）の周回方向に細長い形状にすることによって、ユーザが手首を曲げたりのばしたりする際に表示部１２が邪魔になってしまうのを回避しつつ、表示部１２の面積を大きく確保している。表示部１２の面積が大きく確保されているため、端末１は、例えば、電子マネー決済の課金情報、残高情報１１１１、第１通信制御部１１１のＩＤ情報、および時刻などの情報を、表示部１２に詳細に表示できる。なお、表示部１２に表示される内容について、詳細は後述する。さらに、表示部１２がユーザの腕を周回する方向に細長い形状であることによって、ユーザが手首を曲げたりのばしたりする際に表示部１２が邪魔になることがない。
【００２２】
なお、表示部１２が腕を周回する方向に細長い形状である場合に特に、表示方向制御部１１２１による、表示部１２に表示される表示内容の表示方向制御が重要となる。例えば、表示部１２の形状が円形で、表示方向が上下左右反転してもユーザは表示内容を容易に認識できるような場合、端末１が装着されるのが左腕か右腕か、および、装着される時に表示部１２は腕の内側か外側か、に応じて表示方向を反転させる必要性は低い。しかしながら、図２に示すように、表示部１２には、電子マネーの決済において支払った額、残高情報１１１１、および、例えばＦｅｌｉＣａ（登録商標）チップである第１通信制御部１１１のＩＤ情報などの各種の情報が表示される。表示部１２に表示されるこれらの情報は、表示方向が上下左右反転してしまうと、ユーザは表示内容を容易には認識できない。とりわけ、上記のように表示部１２は、腕の周回方向に細長い形状にして所定の面積を確保されて配置されており、支払額、残高情報１１１１、および第１通信制御部１１１のＩＤ情報、時刻などを詳細に表示する。従って、表示部１２に表示される表示内容の表示方向が上下左右反転してしまうと、ユーザは、該表示内容を認識することが非常に困難となる。この問題を解決するため、端末１においては、端末１が装着されるのが左腕か右腕か、および、装着される時に表示部１２は腕の内側に位置するか外側に位置するか、に応じて、表示方向制御部１１２１が、表示部１２における表示方向を制御する。従って、ユーザは、ＮＦＣアンテナ１１を常に小指側（尺骨側）に位置させて、端末１を左右どちらの腕にも装着でき、かつ、ユーザにとって自然な表示方向で表示部１２に詳細に表示される上記各種の情報を確認することが可能となる。
【００２３】
図３は、端末１を左腕に装着して電子決済を行なう状態を示す図である。図３では、表示部１２が腕の内側にくるように端末１を左腕に装着して、端末１を電子マネー決済装置８に近接させて電子決済を行なう状態が示されている。図３に示すように、装着した際に腕（手首）の小指側(尺骨側)に位置するようにＮＦＣアンテナ１１が配置されている端末１を用いることによって、ユーザは、電子マネーでの支払い時に手首を不自然に捻る必要がない。つまり、端末１を用いることによって、ユーザは、手首を捻ることのない自然なタッチ動作で、端末１を電子マネー決済装置８に近接させて電子マネーでの支払いを行なうことができる。
【００２４】
これに対し、ＦｅｌｉＣａ（登録商標）アンテナなどが手首の手の甲側または手のひら側に配置された従来のウェアラブル通信端末を用いて、電子決済などの近距離非接触無線通信を行なおうとする場合、ユーザは不自然に手首を捻らなくてはならなかった。例えば、従来の電子マネーシステムにおいては、ＦｅｌｉＣａ（登録商標）チップなどの非接触型ＩＣチップを搭載した電子決済用カードが一般的であり、常時身につけるウェアラブルな形状の通信端末であって、電子マネー機能を有する通信端末は少なかった。上記電子決済用カードは、財布の中に入れておくなどして出掛けるときに携帯しなければならず、一方、電子マネー機能を有する従来のウェアラブル通信端末については、ユーザは決済時に手首を捻る不自然な動作をしなければならないという問題があった。具体的には、従来のウェアラブル通信端末は、腕時計のような形状であり、時刻表示部分（文字盤部分）の周囲に、電子マネー機能を有するＦｅｌｉＣａ（登録商標）チップなどの非接触型ＩＣチップのためのアンテナが配置されていた。つまり、従来のウェアラブル通信端末においては、ＦｅｌｉＣａ（登録商標）アンテナなどの近距離非接触無線通信用アンテナは、手首の手の甲側または手のひら側に、配置されていた。そのため、従来のウェアラブル通信端末を用いて支払いを行う場合、ユーザは、該端末の近距離非接触無線通信用アンテナの配置されている手首の手の甲側または手のひら側を、外部の電子マネー決済装置のデータ読み取り・書き込み部分に近接させねばならなかった。従って、ユーザは、支払い時には手首を捻った不自然な姿勢をとらなくてはならず、また、手首を痛める可能性があった。
【００２５】
端末１においては、ＮＦＣアンテナ１１がユーザの手首の小指側（尺骨側）に位置するように配置されており、かつ、表示部１２が手首の内側（手のひら側）にくるよう配置されている。また、表示方向制御部１１２１は、端末１が左右どちらの腕（手首）に装着されるかに応じて、表示部１２における表示内容の表示方向を制御する。従って、ユーザは、表示部１２に表示される文字などの表示方向がユーザから見て上下左右逆さまになってしまうことなく、かつ、ＮＦＣアンテナ１１が常に尺骨側に位置するように、端末１を左右のどちらの腕にも装着することができる。ＮＦＣアンテナ１１が常にユーザの手首の尺骨側にくるので、ユーザは、決済時に手首を捻るなどの不自然な姿勢をしなくともよい。
【００２６】
図４は、図２の左腕に装着された端末１を手のひら側から手の甲側の方向に沿って切断した断面における構造の概略を示す説明図である。図４に示すように、端末１は、端末１が装着されるのがユーザの右腕か左腕か、および、端末１が腕に装着される時に表示部１２は該腕の内側にあるか外側にあるかが選択される入力部１７をさらに備える。そして、表示方向制御部１１２１は、入力部１７から取得する選択結果に応じて、表示部１２における表示内容の表示方向を制御する。すなわち、ユーザが入力部１７を操作して、端末１を左右どちらの腕に装着するか、および、表示部１２が腕の内側にくるように装着するか外側にくるように装着するか、を選択すると、入力部１７は、該選択の内容を、表示方向制御部１１２１に通知する。入力部１７から上記通知を受信すると、表示方向制御部１１２１は、端末１が左右どちらの腕に装着されるか、および、端末１が装着される時に表示部１２は腕の内側にあるか外側にあるか、に基づいて表示部１２における表示内容の表示方向を制御する。つまり、表示方向制御部１１２１は、入力部１７を介して取得するユーザの装着状態に基づき、表示部１２の表示内容の表示方向を制御する。従って、端末１が左右どちらの腕に装着されるか、および、表示部１２は腕の内側に位置するか外側に位置するか、が入力部１７に入力されると、端末１の装着状態によらずに、端末１はユーザにとって自然な表示方向で表示部１２に表示を行なわせることができる。また、入力部１７に入力される装着状態に基づき、表示方向制御部１１２１が、表示部１２の表示内容の表示方向を、ユーザから自然に見えるように、制御するので、ユーザは常に、ＮＦＣアンテナ１１が腕の尺骨側に位置するように、端末１を装着することができる。従って、端末１を左右どちらの腕に装着するか、および、表示部１２が腕の内側にくるように装着するか外側にくるように装着するか、によらずに、ユーザは、端末１を用いて、自然な姿勢で近距離非接触無線通信を行なうことができる。
【００２７】
また、図４に示すように、端末１において、ＮＦＣアンテナ１１は端末１を装着しようとする左腕の尺骨側（小指側）に位置し、入力部１７は橈骨側（親指側）に位置し、表示部１２は左腕の内側（手のひら側）にしている。ここで、表示方向制御部１１２１は、端末１が左右どちらの腕（手首）に装着されるかに応じて、表示部１２における表示内容の表示方向を制御する。従って、ユーザは、表示部１２の表示内容がユーザから見て上下左右逆さまになってしまうことなく、かつ、入力部１７が常にユーザの手首の橈骨側に位置するように、端末１を左右どちらの腕にも装着することができる。入力部１７が常にユーザの手首の親指側にあるため、ユーザは、端末１を装着している手とは逆の側の手で、入力部１７を操作しやすい。すなわち、例えば、手のひらを下に向けたり、手の小指側を電子マネー決済装置８に近接させたりしている途中で、入力部１７を操作する動作を行なおうとする際、腕（手首）をひっくりかえしたりするなどの不自然な動作をしなくともよい。つまり、手首の尺骨側または手のひらを何かにかざすような動作をしている最中であっても、入力部１７が手首の親指側にあるため、手首を捻ることなく、端末１を装着している手とは逆の手で、入力部１７を操作することができる。
【００２８】
図５は、図２の左腕に装着された端末１を、端末１のベルトの長手方向に仮に伸ばした状態で示す説明図である。ＮＦＣアンテナ１１は、ベルトＢ１の長手方向、つまり腕（手首）を周回する方向に細長い形状であり、つまり、腕を周回する方向に長く、腕を周回する方向に対して直角方向に短い形状である。そして、ＮＦＣアンテナ１１は、ユーザの手首の尺骨側に位置するように、配置されている。従って、ベルトＢ１の長手方向には、つまり腕を周回する方向には、ＮＦＣアンテナ１１の中心から少し外れていても、ＮＦＣアンテナ１１と電子マネー決済装置８とに、確実に近距離非接触無線通信を行わせることができる。加えて、一般に、手首の小指側（尺骨側）は他者からは見えにくく、目立ちにくい場所である。目立ちにくい、手首の小指側に、ＮＦＣアンテナ１１を配置することによって、外部からよく見える、手首の手の甲の側、および手のひら側部分の幅を細くして、デザインを向上させることができる。
【００２９】
ここで、非接触型ＩＣチップ用アンテナを正常に動作させるには、該アンテナの占める面積を所定の大きさ以上にしなくてはならない。従って、電子マネー機能を有する従来のウェアラブル通信端末では、非接触型ＩＣチップ用アンテナのための所定面積を確保するために、手首の手の甲側、または手のひら側など、該所定面積を確保しやすい位置に、該非接触型ＩＣチップ用アンテナを配置していた。
【００３０】
図６は、端末１のＮＦＣアンテナ１１について、アンテナ線の配置を示す図である。上記従来のウェアラブル通信端末に対し、端末１は、図６に示すように、ＮＦＣアンテナ１１の形状について、端末１のベルトの長手方向（手首の周回方向）に長くし、ベルトの幅方向（腕を周回する方向に対して直角方向）に短くするという工夫を行っている。この工夫によって、端末１においては、ＮＦＣアンテナ１１を、端末１のベルトＢ１部分に配置することが可能となっている。より詳細には、ＮＦＣアンテナ１１について、ＮＦＣアンテナ１１の中央部分に空間を設けておくようにして、横細長に、つまり、腕を周回する方向に長くし、腕を周回する方向に対して直角に方向に短くして、渦巻き状にアンテナ線を配置する。そして、上下から、上記アンテナ線の周囲および中央の空間部分を、つまり図６において太い黒色にしている部分を、樹脂で密着する。このようにすることによって、端末１本体からＮＦＣアンテナ１１が剥がれにくくなるように工夫している。
【００３１】
また、端末１において、近距離非接触無線通信のためのＮＦＣアンテナ１１は、表示部１２とは別のベルトＢ１部分に配置されており、特にベルトＢ１部分の以下の位置に配置されている。すなわち、端末１を装着した際にユーザの腕（手首）の側面(尺骨側)にＮＦＣアンテナ１１がくるように、ＮＦＣアンテナ１１がベルトＢ１部分に配置されている。従って、端末１を用いることによってユーザは、自然な姿勢で近距離非接触無線通信を行なうことができるとともに、装着するのが右腕か左腕かによらずに、ユーザにとって自然な表示方向で表示部１２に表示される内容を確認することができる。
【００３２】
さらに、端末１において、制御部１０は、ＮＦＣアンテナ１１から分離して配置されることが好ましい。制御部１０をＮＦＣアンテナ１１から分離して配置することにより、端末１は、制御部１０とＮＦＣアンテナ１１とを一体型にした構成に比べて、構造を薄くできる。
【００３３】
以上に概要を説明した端末１について、以下、さらに詳細を説明していく。
【００３４】
（端末の要部構成）
図１は、端末１の要部構成の一例を示すブロック図である。図１に示すとおり、端末１は、制御部１０、ＮＦＣアンテナ１１、表示部１２を備えている。なお、端末１はさらに、通知部１３、電源１４、記憶部１５、バイブレータ１６、および入力部１７を備えていてもよい。ただし、端末１の有する以下の２つの構成にとって、通知部１３、電源１４、記憶部１５、バイブレータ１６、および入力部１７は必須ではない。すなわち、端末１を手首に装着した時にＮＦＣアンテナ１１がユーザの手首の尺骨側に位置するようにＮＦＣアンテナ１１が配置されているという構成に、通知部１３、電源１４、記憶部１５、バイブレータ１６、および入力部１７は必須ではない。さらに、端末１が装着されるのが左右のどちらの腕か、および端末１が装着される時に表示部１２は腕の内側にあるか外側にあるか、に応じて表示部１２における表示内容の表示方向を制御するのにも、直接は関係しない。なお、端末１は、スマートフォン５などの外部の設定装置と近距離無線通信を行なうための近距離無線アンテナ１９、および該近距離無線通信を制御する第２通信制御部１１３を備えていてもよい。近距離無線アンテナ１９および第２通信制御部１１３についての詳細は後述する。また、記載の簡潔性を担保するため、本実施形態に直接関係のない構成（端末１が、スマートフォン５への電話・メールの着信を、ユーザに通知する部分など）の一部については、説明およびブロック図から省略している。ただし、実施の実情に則して、端末１は当該省略された構成を備えてもよい。
【００３５】
ＮＦＣアンテナ１１は、近距離非接触無線通信のためのアンテナであり、例えばＦｅｌｉＣａ（登録商標）アンテナである。ＮＦＣアンテナ１１は、ＩＣカードリーダ／ライタである電子マネー決済装置８などと近距離非接触無線通信を行なう通信インターフェースであり、非接触ＩＣチップ無線通信部とも言える。
【００３６】
ＮＦＣアンテナ１１は、表示部１２とは別のベルトＢ１部分に配置され、ユーザが端末１を装着した際にユーザの腕の小指側（尺骨側）にＮＦＣアンテナ１１がくるよう配置され、または配置可能である。端末１においてＮＦＣアンテナ１１は、端末１のＮＦＣアンテナ１１以外の機能部（例えば、表示部１２など）に含まれる部品、基板などに用いられている金属から離れた位置に設けられている。ＮＦＣアンテナ１１は金属が周辺にあると感度が落ちる可能性があり、ＮＦＣアンテナ１１の周囲にある金属によってＮＦＣアンテナ１１の感度が低下する場合、端末１は、ＮＦＣアンテナ１１を、ＮＦＣアンテナ１１以外の機能部に用いられている金属から適当な距離だけ離して設けることが望ましい。端末１は、ＮＦＣアンテナ１１を、表示部１２とは別のベルトＢ１部分に配置することにより、表示部１２などＮＦＣアンテナ１１以外の機能部に含まれる金属からＮＦＣアンテナ１１を離すことができる。従って、端末１は、ＮＦＣアンテナ１１の通信機能の低下を防ぐことができる。
【００３７】
表示部１２は、例えばＯＬＥＤ（Organic Light-Emitting Diode：有機発光ダイオード）あるいはＬＥＤ（Light-Emitting Diode：発光ダイオード）を基にしたディスプレイである。表示部１２は、電子決済時には、第１通信制御部１１１のＩＤ情報などを表示し、決済時以外の時には、時刻を表示してユーザに時刻を通知してもよい。また、表示部１２には、例えば、端末１の行なう通信に関する情報等が表示されてもよい。さらに、詳細は後述するが、端末１が外部のスマートフォン５などの設定装置と通信を行なうことができる場合には、表示部１２は、スマートフォン５に対する着信などに係る情報を表示できてもよい。例えば、スマートフォン５に対し誰から電話・メール着信があったか、などを表示できてもよい。さらに、ユーザの電子マネー残高、電子マネー決済時の課金情報などをスマートフォン５から取得できる場合には、これらの情報を表示してもよい。
【００３８】
なお、図１に例示する端末１において、例えばＦｅｌｉＣａ（登録商標）アンテナであるＮＦＣアンテナ１１の残高情報は、残高情報１１１１として、端末１の内部のメモリに記憶されている。より正確に言えば、例えばＦｅｌｉＣａ（登録商標）チップである第１通信制御部１１１（電子マネー決済機能を備える非接触型ＩＣチップ）の残高情報１１１１は、端末１の内部のメモリに記憶されている。従って、端末１は、ユーザの電子マネー残高、電子マネー決済時の課金情報などをスマートフォン５から取得できなかった場合であっても、ＮＦＣアンテナ１１から直接、ＮＦＣアンテナ１１の残高情報を取得し、表示部１２に表示することもできる。
【００３９】
つまり、端末１において、ＮＦＣアンテナ１１は、第１通信制御部１１１（電子マネー決済機能を備える非接触型ＩＣチップ）のアンテナであり、表示部１２には、第１通信制御部１１１と外部の電子マネー決済装置８との間で行われる電子マネー決済に係る情報であって、第１通信制御部１１１または電子マネー決済装置８から取得される情報が表示される。決済時に課金情報などの電子決済に係る情報が表示部１２に表示されることによって、ユーザは、表示部１２を見て該情報を確認することができる。なお、表示部１２は、消費電力が大きいため、一定時間表示を行った後に自動的に消灯するのが望ましい。なお、表示部１２の表示ＯＮ／ＯＦＦは、ユーザが入力部１７を操作して切り替えることができてもよい。
【００４０】
通知部１３は、表示部１２とともに、または単独で、点滅などの動作を行なうことによって、端末１の行なう通信に関係する情報などを、ユーザに視覚的に通知するものである。通知部１３は、例えば、ＬＥＤ（Light Emitting Diode：発光ダイオード）である。通知部１３は、例えば、電子マネー決済装置８との近距離非接触無線通信が行われている最中には白色に点滅し、該通信が成功した場合には緑色に点滅し、通信が失敗した場合には赤色に点滅してもよい。通知部１３の点滅の色により、ユーザは、電子マネーによる決済処理などが行われていること、および決済処理が成功したか否かなどを、容易に確認することが可能となる。また、スマートフォン５に対して着信があった場合に、該着信をユーザに通知するために、通知部１３が点滅してもよい。通知部１３が点滅するのを目にすることで、ユーザは、例えば、電子マネー決済装置８などと近距離非接触無線通信の結果など、端末１の行なう通信に関係する情報などに、容易に気付くことができる。なお、表示部１２は一定時間に渡って表示ＯＮになった後に自動で消灯するのが望ましいのに対し、通知部１３は、ユーザからの点滅停止指示がない限り、所定の時間間隔で点滅を継続することが好ましい。通知部１３は、一般的に、表示部１２よりも消費電力が小さく、所定の時間間隔で点滅を継続しても、電力消費は小さい。通知部１３が点滅を開始した後、初めのうちは通知部１３による点滅（通知）に気付かなかったユーザが、しばらくして、通知部１３による点滅に気付くことがある。所定の時間間隔で点滅を継続することにより、通知部１３は、小さな消費電力で、ユーザに、端末１の行なう通信に関係する情報などを知らせることができる。なお、ユーザは、入力部１７を操作して、通知部１３の点滅を停止することができてもよい。
【００４１】
電源１４は、頻繁な交換が不要で、小型かつ軽量の充電式電池である。端末１の消費電力量が極めて小さくなれば、電源１４は、ボタン乾電池を利用してもよい。
【００４２】
バイブレータ１６は、端末１の行なう通信などに関係する情報をユーザに通知するために、振動を発生させる。バイブレータ１６は、モーターおよび当該モーターを駆動する駆動回路などにより実現される。例えば、ユーザが寝ていたり、作業をしていたりして、表示部１２および通知部１３を見ていない場合であっても、バイブレータ１６が振動することにより、ユーザは、通信など端末１の動作に気付きやすくなる。なお、ユーザは、入力部１７を操作して、バイブレータ１６の震動を停止することができてもよい。
【００４３】
入力部１７は、ユーザが端末１に入力を与えるための所定のインターフェースであり、例えば、タクタイルスイッチである。ユーザは、入力部１７を操作して、端末１を右腕に装着するか、または左腕に装着するかの選択を端末１に入力する。また、ユーザは、入力部１７を操作して、表示部１２が腕（手首）の内側（手のひら側）にくるように端末１を装着するのか、または腕（手首）の外側（手の甲側）にくるように端末１を装着するのかの選択を入力する。ユーザは、さらに、入力部１７を操作して、表示部１２および通知部１３などによる表示および通知に対するユーザからのアクションの指示などを、端末１に入力できてもよい。例えば、端末１の電源オン／オフの切替、表示部１２および通知部１３などによる通知の停止、表示部１２における時刻表示とその他通知内容表示との表示切替、該その他通知内容の詳細を表示部１２に表示させる、などの操作ができてもよい。入力部１７は、ユーザが端末１を腕（手首）に装着した時に、該腕（手首）の親指側（橈骨側）に位置するように配置されることが好ましい。決済中など、手首の小指側（尺骨側）を電子マネー決済装置８などの外部の近距離非接触無線通信装置に向けている間でも、入力部１７が親指側に位置するように配置されていることによって、ユーザは入力部１７を容易に操作することができるようになる。なお、入力部１７は、ユーザ操作を受け付けて、端末１自体の電源ＯＮ／ＯＦＦの切替を行ってもよい。また、表示部１２および入力部１７は、入力面に対する接触を端末１への入力として検知可能なタッチパネルによって実現してもよい。入力部１７は、ユーザから与えられた上記入力を、表示制御部１１２に、特に端末１の装着状態は表示方向制御部１１２１に、出力する。
【００４４】
さらに、図８に示すように、腕を周回する方向に表示部１２を挟んで入力部１７が２つ配置される場合、つまり、表示部１２の親指側（橈骨側）と小指側（尺骨側）とに入力部１７Ａと入力部１７Ｂとが配置される場合、端末１は以下の処理を実行してもよい。なお、以下の説明では、表示部１２が左手のひら側（または右手の甲側）にある場合に親指側（橈骨側）にある入力部１７を入力部１７Ａとし、小指側（尺骨側）にある入力部１７を入力部１７Ｂとする。ここで、表示部１２が手のひら側にある場合、表示部１２における表示を遮らずに、端末１を装着していない方の手で操作しやすいのは入力部１７Ｂである。また、表示部１２が手の甲側にある場合、表示部１２における表示を遮らずに、端末１を装着していない方の手で操作しやすいのは入力部１７Ａである。従って、端末１が装着される時に表示部１２は手のひら側にあるか手の甲側にあるか、に応じて、表示方向制御部１１２１により、以下のように、入力部１７Ａと入力部１７Ｂとの機能が切り替えられてもよい。すなわち、端末１が装着される時に表示部１２が位置するのが手のひら側か手の甲側か、に応じて、通知を止める等の頻繁に利用する機能を、入力部１７Ａまたは入力部１７Ｂのうち、操作しやすい方に割り当ててもよい。つまり、表示部１２が手のひら側にくるように端末１が装着されたと判定した場合、端末１は、入力部１７を操作しようとするユーザの手が表示部１２における表示を遮らずにすむよう、通知を止める等の頻繁に利用する機能を、入力部１７Ｂに割り当てる。他方、表示部１２が手の甲側にくるように端末１が装着されたと判定した場合、頻繁に利用する機能を、入力部１７Ａに割り当てる。
【００４５】
以上のように、端末１の表示方向制御部１１２１は、表示部１２が手のひら側にくるように端末１が装着されたと判定した場合、通知を止める等の頻繁に利用する機能を、入力部１７Ｂに割り当てる。一方、表示方向制御部１１２１は、表示部１２が手の甲側にくるように端末１が装着されたと判定した場合、通知を止める等の頻繁に利用する機能を、入力部１７Ａに割り当てる。従って、ユーザは、端末１を左右どちらの腕に装着しても、かつ、表示部１２が手のひら側にくるように装着しても、手の甲側にくるように装着しても、表示部１２における表示を遮らずに、通知を止める等の頻繁に利用する機能を操作することができるようになる。
【００４６】
記憶部１５は、端末１が使用する各種データを格納するものである。記憶部１５は、端末１の制御部１０が実行する（１）制御プログラム、（２）ＯＳプログラム、（３）各種機能を実行するためのアプリケーションプログラム、および、（４）該アプリケーションプログラムを実行するときに読み出す各種データを記憶するものである。また記憶部１５には基本表示情報１５１が格納されており、詳細は後述する。上記の（１）〜（４）のデータは、例えば、ＲＯＭ（Read Only Memory）、フラッシュメモリ、ＥＰＲＯＭ（Erasable Programmable ROM）、ＥＥＰＲＯＭ（登録商標）（Electrically EPROM）、ＨＤＤ（Hard Disc Drive）などの不揮発性記憶装置に記憶される。端末１は、図示しない一時記憶部を備えてもよい。一時記憶部は、端末１が実行する各種処理の過程で、演算に使用するデータおよび演算結果などを一時的に記憶するいわゆるワーキングメモリであり、ＲＡＭ（Random Access Memory）などの揮発性記憶装置で構成される。どのデータをどの記憶装置に記憶するかについては、端末１の使用目的、利便性、コスト、または物理的な制約などから適宜決定される。
【００４７】
制御部１０は、端末１の機能を統括して制御するものである。図示の制御部１０には、機能ブロックとして、第１通信制御部１１１、および表示制御部１１２が含まれている。上述の制御部１０の各機能ブロックは、例えば、ＣＰＵ（Central Processing Unit）などが、ＲＯＭ（Read Only Memory）、ＮＶＲＡＭ（Non-Volatile Random Access Memory）などで実現された記憶装置（記憶部１５）に記憶されているプログラムを不図示のＲＡＭ（Random Access Memory）などに読み出して実行することで実現できる。以下、詳細を説明する。
【００４８】
（各機能ブロックの概要）
第１通信制御部１１１は、ＮＦＣアンテナ１１を介して、電子マネー決済装置８などの外部通信端末と近距離非接触無線通信を行なうものであり、例えば、ＦｅｌｉＣａ（登録商標）チップであり、非接触ＩＣチップとも言える。なお、非接触型ＩＣチップとは、固有の番号（ＩＤ情報）、メモリ、およびこれに記憶された情報を送受信するための回路アンテナから構成される集積回路をいい、つまり、第１通信制御部１１１は、固有のＩＤ情報を有している。また、第１通信制御部１１１は、電子マネーの残高情報１１１１などのデータを内部のメモリに記憶している。第１通信制御部１１１内部のメモリに記憶されているデータは、ＮＦＣアンテナ１１を介して、電子マネー決済装置８に送信される。また、電子マネー決済装置８から送信されるデータは、ＮＦＣアンテナ１１を介して、第１通信制御部１１１に受信され、第１通信制御部１１１内部のメモリに書き込まれる。
【００４９】
表示制御部１１２は、表示部１２における表示等を制御するものであり、表示方向制御部１１２１を含む。表示制御部１１２は、例えばユーザがＮＦＣアンテナ１１を電子マネー決済装置８に近接させて電子決済を行う場合には第１通信制御部１１１のＩＤを表示部１２に表示させ、電子決済時以外の時は時刻を表示部１２に表示させてもよい。また、表示制御部１１２が電子マネーの残高情報１１１１および課金情報などを取得できる場合には、表示制御部１１２は、残高情報１１１１および課金情報などを表示部１２に表示させてもよい。さらに、表示制御部１１２が、スマートフォン５への電話・メールの着信等があったことを取得できた場合、表示制御部１１２は、該着信があった旨を表示部１２に表示させてもよい。さらに、上記着信の発信者を表示させたり、メールの着信であれば該メールの表題などを表示部１２に表示させたりしてもよい。表示制御部１１２は、表示部１２における表示に加えて、通知部１３、バイブレータ１６の動作を制御してもよい。例えば、表示制御部１１２が、スマートフォン５への電話・メールの着信等があったことを取得できた場合、表示制御部１１２は、通知部１３を点滅させ、バイブレータ１６を振動させてもよい。また、表示制御部１１２は、入力部１７が受け付けたユーザ操作に基づいて、表示部１２、通知部１３、およびバイブレータ１６を制御する。入力部１７からユーザ操作を通知されると表示制御部１１２は、例えば、表示部１２の表示ＯＮ／ＯＦＦを切り替え、また、表示部１２に表示する、電子マネー決済およびスマートフォン５への着信に関する情報の概要表示／詳細表示を切り替える。また、入力部１７がユーザからの通知停止操作を受け付けると、表示制御部１１２は、通知部１３の点滅、バイブレータ１６の振動を停止させる。
【００５０】
表示方向制御部１１２１は、表示部１２における表示内容の表示方向を制御し、特に、端末１の装着状態、つまり、端末１がどのように装着されるかに応じて、表示部１２における表示内容の表示方向を制御する。すなわち、表示方向制御部１１２１は、端末１が装着されるのがユーザの右腕か左腕か、および、端末１が腕に装着される時に表示部１２は該腕の内側に位置するか外側に位置するか、に応じて、表示部１２における表示内容の表示方向を制御する。表示方向制御部１１２１は、端末１の装着状態に係る情報を、入力部１７から取得する。
【００５１】
（記憶部に格納されている情報について）
基本表示情報１５１は、第１通信制御部１１１のＩＤ情報を含む情報であり、例えば、ＦｅｌｉＣａ（登録商標）チップのＩＤである。第１通信制御部１１１のＩＤ情報を含む情報は、端末１の製造工程において、記憶部１５に基本表示情報１５１として格納される。従って、表示制御部１１２と第１通信制御部１１１とが通信できず、表示制御部１１２が第１通信制御部１１１から第１通信制御部１１１のＩＤを取得できない場合でも、表示制御部１１２は、第１通信制御部１１１のＩＤを表示部１２に表示することができる。例えば、決済時に表示制御部１１２は、第１通信制御部１１１のＩＤを含む基本表示情報１５１を、記憶部１５から読み出す。従って、表示制御部１１２は、第１通信制御部１１１から第１通信制御部１１１のＩＤを取得することなく、第１通信制御部１１１のＩＤを表示部１２に表示することができる。
【００５２】
つまり、端末１の生産工程において、例えばＦｅｌｉＣａ（登録商標）アンテナであるＮＦＣアンテナ１１のＩＤ（識別情報）を、記憶部１５に基本表示情報１５１として格納しておいた場合、端末１は以下の処理を実行することができる。すなわち、端末１は、ＮＦＣアンテナ１１と制御部１０との接続ができない場合であっても、ＮＦＣアンテナ１１のＩＤを、より正確には、第１通信制御部１１１のＩＤ（非接触型ＩＣチップの識別情報）を、表示部１２に表示することができる。
【００５３】
（表示部に表示される内容）
上述のように、例えば決済時には、表示制御部１１２は、記憶部１５から基本表示情報１５１を読み出して、第１通信制御部１１１のＩＤを表示部１２に表示する。また、決済時以外の時には、表示制御部１１２は、時刻を表示部１２に表示してもよい。表示制御部１１２は、第１通信制御部１１１の内部のメモリに記憶されている電子マネーの残高情報１１１１、電子決済時の課金情報などのデータを取得して、該データを表示部１２に表示してもよい。さらに、詳細は後述するが、端末１がスマートフォン５との通信を行なうことができる場合には、表示制御部１１２は、スマートフォン５の有する情報、およびスマートフォン５が取得することのできる情報を、表示部１２に表示させてもよい。例えば、スマートフォン５に電話・メールの着信があったことなどを表示させてもよいし、該着信の発信者を表示させたり、メールの着信であれば該メールの表題などを表示させたりしてもよい。さらに、残高情報１１１１および課金情報の少なくとも一方をスマートフォン５経由でＷＥＢから取得し、表示部１２に残高情報１１１１および課金情報の少なくとも一方を表示してもよい。すなわち、端末１がスマートフォン５と通信できる場合、表示制御部１１２は、スマートフォン５から取得することのできる情報を、表示部１２に表示させてもよい。ただし、端末１の表示部１２の大きさは、スマートフォン５の表示部に比べると小さいため、表示部１２に表示される情報は、スマートフォン５の表示部に表示される情報の概要を示す情報である方が望ましい。ユーザは、端末１の表示部１２に表示される情報によって概要を把握し、さらに詳細を知りたい場合にはスマートフォン５の表示部に詳細を表示させるなどして、効率的に情報を確認することができる。
【００５４】
（処理内容）
図７は、端末１の処理の流れを示すフローチャートである。ユーザが、入力部１７を操作して、端末１を左右どちらの腕に装着するのか、および、装着する時に表示部１２は腕の内側（手のひら側）に位置するか腕の外側（手の甲側）に位置するか、を入力すると、表示方向制御部１１２１は、以下の処理を実行する。
【００５５】
表示方向制御部１１２１は、まず、入力部１７から、端末１の装着状態を、すなわち、端末１が装着されるのがユーザの右腕か左腕か、および、端末１が腕に装着される時に表示部１２は該腕の内側にあるか外側にあるか、に係る情報を、取得する（Ｓ１０）。
【００５６】
入力部１７から、取得する端末１の装着状態を取得すると、表示方向制御部１１２１は、ユーザが端末１を左右どちらの手首に装着するかを判定し、つまり右腕に装着しているか、それとも、左腕に装着するかを判定する（Ｓ１１）。端末１が右腕に装着されると判定した場合（Ｓ１１で右腕）、表示方向制御部１１２１は、次に、端末１は、表示部１２が右腕の内側（手のひら側）にくるように装着されるか、または、右腕の外側（手の甲側）にくるように装着されるか、を判定する（Ｓ１２）。表示部１２が右腕の内側にくるように装着されると判定した場合（Ｓ１２で内側）、表示方向制御部１１２１は、表示部１２に逆方向に情報を表示させ、つまり、表示部１２に表示される内容の表示方向を逆方向にする（Ｓ１３）。従って、ユーザから表示部１２を見た時に、表示部１２における表示内容は、左上から右下に順に示される。表示部１２が右腕の外側にくるように端末１は装着されると判定した場合（Ｓ１２で外側）、表示方向制御部１１２１は、表示部１２に正方向に表示を行わせ、つまり、表示部１２に表示される内容の表示方向を正方向にする（Ｓ１４）。従って、ユーザから表示部１２を見た時に、表示部１２における表示内容は、左上から右下に順に示される。
【００５７】
入力部１７から取得する端末１の装着状態に基づき、端末１が左腕に装着されると判定する場合（Ｓ１１で左腕）、表示方向制御部１１２１は、端末１が左腕に装着される際に、表示部１２は手のひら側か、それとも、手の甲側かを判定する（Ｓ１５）。表示部１２が左腕の手のひら側にくるように端末１が装着されると判定した場合（Ｓ１５で内側）、表示方向制御部１１２１は、表示部１２に正方向に表示を行わせ、つまり、表示部１２に表示される内容の表示方向を正方向にする（Ｓ１６）。従って、ユーザから表示部１２を見た時に、表示部１２における表示内容は、左上から右下に順に示される。表示部１２が左腕の手の甲側にくるように端末１は装着されると判定した場合（Ｓ１５で外側）、表示方向制御部１１２１は、表示部１２に逆方向に表示を行わせ、つまり、表示部１２に表示される内容の表示方向を逆方向にする（Ｓ１７）。従って、ユーザから表示部１２を見た時に、表示部１２における表示内容は、左上から右下に順に示される。
【００５８】
上記の説明は、以下のように整理できる。すなわち、端末１の制御方法は、端末１が装着されるのがユーザの右腕か左腕か、および、端末１が腕に装着される時に表示部１２は腕の内側にあるか外側にあるか、に応じて、表示部１２における表示内容の表示方向を制御する表示方向制御ステップ（Ｓ１１〜Ｓ１７）を含む。
【００５９】
なお、上記の説明では、表示方向制御部１１２１は、入力部１７から、Ｓ１０において、端末１が装着されるのがユーザの右腕か左腕か、および、端末１が腕に装着される時に表示部１２は該腕の内側にあるか外側にあるか、に係る情報を取得する、とした。しかしながら、端末１が装着されるのがユーザの右腕か左腕かに係る情報と、端末１が腕に装着される時に表示部１２は該腕の内側にあるか外側にあるかに係る情報とを、同時に取得することは必須ではない。例えば、表示方向制御部１１２１は、端末１が装着されるのがユーザの右腕か左腕かに係る情報だけを先に取得して、Ｓ１１の判定を行ってもよい。そして、Ｓ１１の判定処理後に、端末１が腕に装着される時に表示部１２は該腕の内側にあるか外側にあるかに係る情報を取得してもよい。また、端末１が装着されるのがユーザの右腕か左腕かの判定（Ｓ１１）を、端末１が腕に装着される時に表示部１２は該腕の内側にあるか外側にあるかの判定（Ｓ１２およびＳ１５）よりも先に実行することも必須ではない。すなわち、先ず、端末１が腕に装着される時に表示部１２は該腕の内側にあるか外側にあるかの判定をする。そして、上記判定の後に、表示部１２が腕の内側にある場合と外側にある場合との２つの場合についてさらに、端末１が装着されるのがユーザの右腕か左腕かを判定してもよい。すなわち、表示方向制御部１１２１は、端末１が装着されるのがユーザの右腕か左腕か、および、端末１が腕に装着される時に表示部１２は該腕の内側にあるか外側にあるか、という２つの判定を実行できればよく、該２つの判定の順序は問わない。また、上記２つの判定ができさえすれば、端末１が装着されるのがユーザの右腕か左腕かについての情報と、端末１が腕に装着される時に表示部１２は該腕の内側にあるか外側にあるかについての情報とは、どちらが先に取得されてもよく、同時に取得されてもよい。
【００６０】
〔実施形態２〕
以下、本発明の他の実施形態について、図９に基づいて説明する。なお、説明の便宜上、上述した各実施形態にて説明した部材と同じ機能を有する部材については、同じ符号を付記し、その説明を省略する。
【００６１】
図９は、本実施形態に係るブレスレット型通信端末２（以下、端末２と略記する）の要部構成の一例を示すブロック図である。端末２は、端末２の加速度を検出する加速度センサ１８を備える。そして、端末２の表示方向制御部１１２１は、加速度センサ１８から取得する検出結果に基づいて、端末２が装着されるのがユーザの右腕か左腕か、および、端末２が腕に装着される時に表示部１２は該腕の内側にあるか外側にあるかを判定する。表示方向制御部１１２１は、上記判定に結果に基づいて、表示部１２における表示内容の表示方向を制御する。つまり、端末２は、端末１に比べ、入力部１７の代わりに、端末２の加速度を検出する加速度センサ１８を備えている。
【００６２】
加速度センサ１８は、端末２の移動を検知するセンサである。端末２が左右どちらの腕に装着されているか、および、端末２が装着される時に表示部１２は腕の内側にあるか外側にあるか、により端末２の動きは異なり、従って、加速度センサ１８の検出結果も異なる。加速度センサ１８の検出結果の違いに応じて、表示方向制御部１１２１は、端末２が左右どちらの腕に装着されているか、および端末２が装着される時に表示部１２は腕の内側にあるか外側にあるかを判定する。そして、判定結果に応じて、表示部１２における表示内容の表示方向を制御する。なお、加速度センサ１８は、端末２が左右どちらの腕に装着されているか、および、端末２が装着される時に表示部１２は腕の内側にあるか外側にあるか、により異なる検出結果を出力できるセンサであればよく、加速度センサであることは必須ではない。加速度センサ１８としては、例えば、端末２の傾きを検知する角速度センサ（Ｇｙｒｏセンサ）を用いてもよい。つまり、加速度センサ１８は、端末１が左右どちらの腕に装着されるか、および、装着の際に表示部１２は腕の内側にあるか外側にあるか、を表示方向制御部１１２１が判定するために必要な検出結果を、表示方向制御部１１２１に通知できるセンサであればよい。
【００６３】
なお、表示部１２に横書き表示を行う場合、加速度センサ１８が表示方向制御部１１２１に通知する検出結果は、必ずしも上記のように腕の左右および内外に関するものでなくともよく、例えば、歩行時の重力方向を通知するものであってもよい。この場合、歩行時の重力の方向を表示の上側とすることで、ユーザが表示部１２を視認する際に見やすい表示を行うことができる。すなわち、例えば歩行時など、体に沿って腕を下している状態において重力方向を検出し、該重力方向を、手首に装着した端末１の表示部１２における上方向（上側）とする。表示部１２における表示方向を上記のように設定することにより、ユーザが表示部１２を確認しようと手首に装着した端末１を顔に近づけた場合に、表示部１２の表示内容は、ユーザにとって自然な表示方向で表示される。なお、重力方向を随時検出し、例えば、ユーザが腕を曲げて手首に装着した端末１を顔に近づけている時には、重力方向の反対方向を、表示の上側としてもよい。
【００６４】
端末１において表示方向制御部１１２１は、入力部１７から、端末１の装着状態を、つまり、端末１を左右どちらの腕（手首）に装着するのか、および、装着の際に表示部１２は腕の内側にあるか外側にあるか、についての情報を取得する。そして、入力部１７から取得する端末１の装着状態の情報に基づいて、表示方向制御部１１２１は、端末１が左右のどちらの腕に装着されているか、および端末１が装着される時に表示部１２は腕の内側にあるか外側にあるか、を判定する。そして、上記判定の結果に基づいて、表示部１２における表示内容の表示方向を制御する。
【００６５】
これに対し、端末２の表示方向制御部１１２１は、加速度センサ１８の検出結果に基づいて、端末２が左右のどちらの腕に装着されているか、および端末２が装着される時に表示部１２は腕の内側にあるか外側にあるか、を判定する。そして、上記判定の結果に基づいて、表示部１２における表示内容の表示方向を制御する。従って、ユーザは、端末２を左右のどちらの腕に装着するか、および端末２が装着される時に表示部１２は腕の内側にあるか外側にあるかの選択を、入力部１７を操作して端末２に通知する必要がなく、利便性が向上する。
【００６６】
なお、図７を用いて端末２の処理を整理すれば以下の通りである。すなわち、端末１の表示方向制御部１１２１が入力部１７から端末１の装着状態を取得したのに対し、端末２の表示方向制御部１１２１は、加速度センサ１８から端末２の移動に係る検知結果を取得する。そして、端末２の表示方向制御部１１２１は、加速度センサ１８から取得した上記検知結果に基づいて、Ｓ１１、Ｓ１２、およびＳ１５の判定を行う。加速度センサ１８から端末２の移動に係る検知結果を取得した後の表示方向制御部１１２１の処理は、端末１のＳ１１以降の処理と同様であるため、説明を省略する。
【００６７】
〔実施形態３〕
以下、本発明の他の実施形態について、図１０に基づいて説明する。なお、説明の便宜上、上述した各実施形態にて説明した部材と同じ機能を有する部材については、同じ符号を付記し、その説明を省略する。
【００６８】
図１０は、本実施形態に係るブレスレット型通信端末３（以下、端末３と略記する）の要部構成の一例を示すブロック図である。端末３は、スマートフォン５（外部の設定装置）と通信を行うための近距離無線アンテナ１９（第２アンテナ）をさらに備えている。そして、端末３の表示方向制御部１１２１は、近距離無線アンテナ１９を介して、スマートフォン５から、端末３が装着されるのがユーザの右腕か左腕か、および、端末３が装着される時に表示部１２は腕の内側にあるか外側にあるかについての情報を取得する。その後、表示方向制御部１１２１は、上記情報に基づいて、表示部１２における表示内容の表示方向を制御する。つまり、端末３は、端末１の構成に加えてさらに、近距離無線アンテナ１９と、第２通信制御部１１３と、を備えている。
【００６９】
近距離無線アンテナ１９は、スマートフォン５などの外部の設定装置と通信を行なうためのアンテナであり、例えば、Ｂｌｕｅｔｏｏｔｈ（登録商標）アンテナである。ただし、近距離無線アンテナ１９は、外部の設定装置と通信を行なうことができればよく、Ｂｌｕｅｔｏｏｔｈ（登録商標）アンテナに限られない。例えば、ＺｉｇＢｅｅ（登録商標）、ＵＷＢ（Ultra Wideband）、ＷｉＦｉ（登録商標）などの通信規格に基づいて近距離無線通信を行なうものであってもよい。また、ＩｒＤＡ（Infrared Data Association）などの赤外線方式の近距離無線通信を行なうものであってもよい。また、通信の方式が近距離無線通信であることも必須ではなく、スマートフォン５などの外部の設定装置と通信を行なうことのできるアンテナであればよい。すなわち、本実施形態では、スマートフォン５が近距離無線アンテナ１９を介して端末３と近距離無線通信を行なうとしたが、端末３に対して設定情報を送信可能であれば、スマートフォン５が端末３に対して行なう通信の方式は任意である。スマートフォン５と端末３とが通信可能であればよく、近距離無線通信でなくてもよいし、通信時に接続する有線であってもよい。
【００７０】
第２通信制御部１１３は、近距離無線アンテナ１９を介して、スマートフォン５などの外部の設定装置と近距離無線通信を行なうものである。なお、第２通信制御部１１３は、近距離無線アンテナ１９を介して受信するスマートフォン５からの情報を、表示方向制御部１１２１へ通知する。スマートフォン５がＷｅｂからユーザの残高情報１１１１、および電子決済時の支払額などに係る情報を取得できる場合、表示制御部１１２は表示部１２に残高情報１１１１、および支払額などに係る情報を表示してもよい。すなわち、サーバ連携で、課金情報などを表示部１２に表示してもよい。また、スマートフォン５に電話・メールの着信があった場合に、該着信に関する情報を、第２通信制御部１１３が近距離無線アンテナ１９を介して取得できるのであれば、該着信のあったことを、端末３がユーザに通知してもよい。すなわち、スマートフォン５に上記着信のあったことを第２通信制御部１１３から通知された表示制御部１１２は、表示部１２、通知部１３、およびバイブレータ１６に以下の動作をさせてもよい。表示制御部１１２は、表示部１２に上記着信のあったことを表示させ、通知部１３を点滅させ、バイブレータ１６を振動させてもよい。また、表示制御部１１２は、表示部１２に、上記着信の発信者、また上記着信がメールの着信であれば該メールの表題などを、表示させてもよい。
【００７１】
端末３の表示方向制御部１１２１は、近距離無線アンテナ１９を介して、スマートフォン５から、端末３の装着状態を取得する。例えば、ユーザが、スマートフォン５に、端末３を装着するのがユーザの右腕か左腕か、および、端末３を腕に装着する時に表示部１２は該腕の内側にあるか外側にあるかについての情報を入力すると、端末３は以下の処理を実行する。すなわち、表示方向制御部１１２１は、近距離無線アンテナ１９を介して、スマートフォン５から、端末３が装着されるのがユーザの右腕か左腕か、および、端末３が腕に装着される時に表示部１２は該腕の内側にあるか外側にあるかについての情報を取得する。そして、上記情報に基づいて、表示部１２における表示内容の表示方向を制御する。つまり、図７を用いて端末３の処理を整理すれば以下の通りである。すなわち、端末１の表示方向制御部１１２１が入力部１７から端末１の装着状態を取得したのに対し、端末３の表示方向制御部１１２１は、近距離無線アンテナ１９を介して、スマートフォン５から、端末３の装着状態を取得する。そして、端末３の表示方向制御部１１２１は、スマートフォン５から取得した端末３の装着状態に基づいて、Ｓ１１、Ｓ１２、およびＳ１５の判定を行う。端末３の装着状態をスマートフォン５から取得した後の表示方向制御部１１２１の処理は、端末１のＳ１１以降の処理と同様であるため、説明を省略する。
【００７２】
従って、端末３は、端末３が左右のどちらの腕に装着されるか、および端末３が装着される時に表示部１２は腕の内側にあるか外側にあるかの選択に係る情報をスマートフォン５から取得し、該情報に基づいて表示部１２に表示される内容の表示方向を制御する。
【００７３】
また、端末３は、スマートフォン５とデータを通信することができるため、例えば、スマートフォン５を介して残高情報１１１１などを取得することができ、これらの情報を表示部１２に表示させることができる。
【００７４】
〔実施形態４〕
以下、本発明の他の実施形態について、図１１〜１３に基づいて説明する。なお、説明の便宜上、上述した各実施形態にて説明した部材と同じ機能を有する部材については、同じ符号を付記し、その説明を省略する。
【００７５】
図１１は、本実施形態に係るブレスレット型通信端末４（以下、端末４と略記する）の要部構成の一例を示すブロック図である。端末４には、電子マネー決済装置８と近距離非接触無線通信を行なう電子マネーシール６が、電子マネーシール６のＮＦＣアンテナ６１が端末４を腕に装着するユーザの該腕の小指側（尺骨側）に位置するように、取り付けられている。電子マネーシール６を端末４に取り付ける方法としては、例えば、電子マネーシール６を端末４に接着することが考えられる。ただし、取り付ける方法は接着に限られるものではなく、ＮＦＣアンテナ６１が端末４を腕に装着するユーザの該腕の小指側（尺骨側）に位置するように、電子マネーシール６を端末４に取り付けることができる方法であれば、どのような方法であってもよい。端末４は、制御部４０に加えて、端末３と同様の、表示部１２、通知部１３、電源１４、記憶部１５、バイブレータ１６、入力部１７、および近距離無線アンテナ１９を備えている。また、端末４の制御部４０は、端末３の制御部３０と同様の、表示制御部１１２および第２通信制御部１１３を備えている。表示部１２、通知部１３、電源１４、記憶部１５、バイブレータ１６、入力部１７、近距離無線アンテナ１９、表示制御部１１２、および第２通信制御部１１３については、これまで説明してきたのと同様であるため、詳細は省略する。概要を説明すれば、表示制御部１１２の表示方向制御部１１２１は、近距離無線アンテナ１９を介してスマートフォン５から、端末４が装着されるのがユーザの右腕か左腕か、および、端末４が装着される時に表示部１２は腕の内側か外側かについての情報を取得する。そして、上記情報に基づいて、表示部１２における表示内容の表示方向を制御する。
【００７６】
端末４は、端末３の構成とは異なり、ＮＦＣアンテナ１１および第１通信制御部１１１を備えておらず、代わりに、ＮＦＣアンテナ６１（第１通信部）および第１通信制御部６２を備える電子マネーシール６が端末４に接着されている。より詳細には、電子マネーシール６のＮＦＣアンテナ６１が、端末４を腕に装着するユーザの該腕の小指側（尺骨側）に位置するように、電子マネーシール６が、端末４に接着されている。ＮＦＣアンテナ６１は、例えばＦｅｌｉＣａ（登録商標）アンテナであり、第１通信制御部６２は、例えばＦｅｌｉＣａ（登録商標）チップである。第１通信制御部６２のメモリには、ＦｅｌｉＣａ（登録商標）チップのＩＤ情報、残高情報６２１などの各種の情報が格納されている。そして、ユーザは、腕に装着した端末４の尺骨側に配置されている、電子マネーシール６のＮＦＣアンテナ６１を電子マネー決済装置８に近接させることにより、電子決済を行なうことができる。
【００７７】
ここで、Ｆｅｌｉｃａ（登録商標）チップから、該Ｆｅｌｉｃａ（登録商標）チップを用いて行った電子決済に係る情報を読み出すためのスマートフォン用アプリケーションが、「電子マネーリーダ」などの名称で既に一般的である。スマートフォン５は、上記アプリケーションを利用し、例えばＦｅｌｉｃａ（登録商標）チップである第１通信制御部６２を備える電子マネーシール６から、電子マネーシール６を用いてユーザが行った電子決済に係る情報を読み出すことができる。
【００７８】
端末４は、スマートフォン５とデータを通信することができ、つまり、スマートフォン５が保持する各種の情報を取得することができる。例えば、スマートフォン５が、上記アプリケーションを利用して、電子マネーシール６に関する入金情報、課金情報、残高情報６２１、およびＦｅｌｉＣａ（登録商標）チップのＩＤ情報などの情報を電子マネーシール６から取得すると、端末４は以下の処理を行なう。すなわち、端末４は、スマートフォン５が取得した残高情報６２１などの上記情報を、近距離無線アンテナ１９を介してスマートフォン５から取得し、表示部１２に表示させることができる。
【００７９】
さらに、端末４は、近距離無線アンテナ１９を介してスマートフォン５から、電子マネーシール６が接着された端末４が装着されるのがユーザの右腕か左腕か、および、端末４が装着される時に表示部１２は腕の内側か外側かについての情報を取得する。そして、表示方向制御部１１２１は、上記情報に基づいて、表示部１２における表示内容の表示方向を制御する。
【００８０】
以上のように、本実施形態に係る端末４は、電子マネー決済装置８に近接させ電子決済を行うためのＮＦＣアンテナおよび通信制御部を備えておらず、代わりに、ＮＦＣアンテナ６１および第１通信制御部６２を備える電子マネーシール６が接着されている。そのため、端末４は、制御部４０と電子マネーシール６の第１通信制御部６２とが直接通信できない構成である。しかし、端末４は、スマートフォン５を介して、第１通信制御部６２のメモリに格納されている残高情報６２１などの情報を取得して、表示部１２に表示することができる。そして、端末４において電子マネーシール６のＮＦＣアンテナ６１が配置される位置は、端末４がユーザの腕に装着された状態において該腕の尺骨側にある。さらに、端末４は、端末４が装着されるのがユーザの右腕か左腕か、および、端末４が腕に装着される時に表示部１２は該腕の内側にあるか外側にあるか、に応じて、表示部１２における表示内容の表示方向を制御する。よって、端末４によれば、ユーザが自然な姿勢で近距離非接触無線通信を行なうことができるとともに、端末４が装着されるのが右腕か左腕か、および装着される際に端末４の表示部１２がユーザの腕の内側にあるか外側にあるか、によらずに、ユーザにとって自然な表示方向での表示を行なうことができる。
【００８１】
図１２は、端末４を含む電子マネー決済システムの概要を示す図である。図１２に例示する電子マネー決済システムにおいて、スマートフォン５は、電子マネーシール６の残高情報６２１が変更された（ユーザが端末４を電子マネー決済装置８にかざして決済を行った）と判定すると、変更後の残高情報６２１を端末４に通知する。その結果、端末４の表示部１２には、決済後の（つまり変更後の）残高情報６２１が表示される。以下、図１２に例示する電子マネー決済システムにおける、電子マネー決済装置８、スマートフォン５、および端末４の処理について説明する。
【００８２】
図１２において、ユーザが端末４（より正確には、端末４に取り付けられている電子マネーシール６）を電子マネー決済装置８にかざして電子マネーによる決済を行うと、先ず、電子マネー決済装置８が、該決済の情報（決済情報）を、外部の決済サーバ９に送信する。上記決済情報は、例えば、上記決済後の電子マネーシール６の残高情報６２１、および上記決済における支払金額等である。
【００８３】
決済サーバ９には、予めスマートフォン５が登録されており、また、上記決済前の電子マネーシール６の残高情報６２１が格納されている。決済サーバ９は、電子マネー決済装置８から上記決済情報を受信すると、決済サーバ９に登録されているスマートフォン５に、上記決済情報を送信する。
【００８４】
スマートフォン５は、決済サーバ９から上記決済情報を受信する。そして、「電子マネーシール６の残高情報６２１が変わったか（つまり、ユーザが端末４を用いて電子マネーによる決済を行ったか）」を判定する。スマートフォン５の実行する判定処理について、詳細は図１３を用いて後述する。スマートフォン５は、「電子マネーシール６の残高情報６２１が変わった」と判定すると上記決済情報を端末４に通知し、スマートフォン５から上記決済情報を取得した端末４は、表示部１２に上記決済情報を表示する。
【００８５】
図１２に例示する電子マネー決済システムによれば、ＮＦＣアンテナ６１と端末４の制御部４０とがつながっていなくても、つまり、端末４と電子マネーシール６とが直接的に通信を行うことができない場合であっても、ユーザは、電子マネーシール６を用いて行われた電子マネー決済に係る情報（残高、支払い金額など）を、端末４によって確認できる。従って、ユーザは、「スマートフォン５をバッグから取り出し、決済に係る情報を確認するためのアプリをスマートフォン５で起動する」といった操作をせずとも、腕に装着した端末４の表示部１２を見るだけで、上記決済に係る情報を確認することができる。
【００８６】
図１３は、図１２の電子マネー決済システムにおけるスマートフォン５の処理の流れを示すフローチャートである。
【００８７】
スマートフォン５は、決済サーバ９から、決済情報（電子マネーシール６と電子マネー決済装置８との間で行われた電子マネー決済に係る情報）を受け取ったかを判定する（Ｓ２１）。なお、上記の通り、電子マネーシール６と電子マネー決済装置８との間で電子マネー決済が行われると、電子マネー決済装置８は、該決済に係る情報（例えば、該決済後の電子マネーシール６の残高情報６２１および支払金額等）を、決済サーバ９に送信する。そして、決済サーバ９は、電子マネー決済装置８から受信した上記決済に係る情報（決済情報）を、スマートフォン５に送信する。
【００８８】
スマートフォン５は、決済サーバ９から上記決済情報を受け取ったと判定すると（Ｓ２１でＹｅｓ）、電子マネーシール６の残高情報６２１が変わったかを判定する（Ｓ２２）。すなわち、決済サーバ９から取得した上記決済情報に含まれる電子マネーシール６の残高情報６２１が、上記決済情報の取得前にスマートフォン５が把握していた電子マネーシール６の残高情報６２１と異なるかを判定する。そして、電子マネーシール６の残高情報６２１が変わったと判定したら（Ｓ２２でＹｅｓ）、スマートフォン５は、端末４に、変更後の（決済後の）残高情報６２１等を通知する（Ｓ２３）。
【００８９】
スマートフォン５は、決済サーバ９から上記決済情報を受け取っていないと判定する場合（Ｓ２１でＮｏ）、または電子マネーシール６の残高情報６２１が変わっていないと判定する場合（Ｓ２２でＮｏ）、処理を終了する。
【００９０】
なお、「電子マネーシール６の残高情報６２１が変わったか」否かの判定について、上記の説明においては、スマートフォン５が、決済サーバ９から上記決済情報を取得する前の電子マネーシール６の残高情報６２１と、決済サーバ９から取得する上記決済情報に含まれる電子マネーシール６の残高情報６２１とを比較するとした。そして、決済サーバ９から上記決済情報を取得する前の電子マネーシール６の残高情報６２１と、決済サーバ９から取得する上記決済情報に含まれる電子マネーシール６の残高情報６２１とが異なる場合、スマートフォン５は、「電子マネーシール６の残高情報６２１が変わった」と判定する。しかしながら、「電子マネーシール６の残高情報６２１が変わったか」否かの判定の方法はこれに限られるものではない。
【００９１】
例えば、決済サーバ９が、電子マネー決済装置８から上記決済情報を取得する前の電子マネーシール６の残高情報６２１と、電子マネー決済装置８から取得する上記決済情報に含まれる電子マネーシール６の残高情報６２１とを比較してもよい。そして、決済サーバ９は、上記比較の結果を、上記決済情報に加えて、スマートフォン５に送信してもよい。スマートフォン５は、決済サーバ９から受信する上記比較の結果に基づいて、「電子マネーシール６の残高情報６２１が変わったか」否かの判定を行い、上記決済情報を端末４に送信するか否かを決定してもよい。
【００９２】
すなわち、スマートフォン５は、電子マネー決済装置８が送信する上記決済情報に含まれる電子マネーシール６の残高情報６２１と、電子マネー決済装置８が上記決済情報を送信する前の電子マネーシール６の残高情報６２１とが異なるかを判定することができればよい。電子マネー決済装置８が送信する上記決済情報に含まれる電子マネーシール６の残高情報６２１と、電子マネー決済装置８が上記決済情報を送信する前の電子マネーシール６の残高情報６２１とが異なると判定すると、スマートフォン５は、電子マネーシール６による決済が行われたと判定する。そして、スマートフォン５は、上記決済後の電子マネーシール６の残高情報６２１を含む上記決済情報を、端末４に通知する。
【００９３】
従って、端末４において、ＮＦＣアンテナ６１は、例えばＦｅｌｉＣａ（登録商標）チップである第１通信制御部６２（電子マネー決済機能を備える非接触型ＩＣチップ）のアンテナであり、表示部１２には、第１通信制御部６２と電子マネー決済装置８との間で行われる電子マネー決済に係る情報であって、第１通信制御部６２または電子マネー決済装置８から取得される情報が表示される。具体的には、端末４は、電子マネー決済装置８から出力される、上記電子マネー決済に係る情報（決済情報）をスマートフォン５を介して取得し、該決済情報と表示部１２に表示する。
【００９４】
〔実施形態５〕
以下、本発明の他の実施形態について、図１４および１５に基づいて説明する。なお、説明の便宜上、上述した各実施形態にて説明した部材と同じ機能を有する部材については、同じ符号を付記し、その説明を省略する。最初に本実施形態に係るブレスレット型通信端末２００（以下、端末２００と略記する）の概要を説明しておけば以下の通りである。
【００９５】
すなわち、端末２００は、表示部１２を備えた通信端末であって、ユーザが端末２００を腕に装着した状態でユーザ側とは反対側に向けて使用する第１機能部１２０が配置され、あるいは、第１機能部１２０を配置可能である。そして、端末２００は、端末２００が装着されるのがユーザの右腕か左腕か、および、端末２００が腕に装着される時に表示部１２は該腕の内側にあるか外側にあるか、に応じて、表示部１２における表示内容の表示方向を制御する表示方向制御部１１２１を備える。
【００９６】
従って、端末２００は、ユーザが自然な姿勢で第１機能部１２０を使用できるとともに、装着されるのが右腕か左腕か、および装着される際に端末２００の表示部１２がユーザの腕の内側にあるか外側にあるか、によらずに、ユーザにとって自然な表示方向での表示を行なうことができる。
【００９７】
ここで、第１機能部１２０は、ＮＦＣアンテナ１１（近距離非接触無線通信を行なうためのアンテナ）、カメラ１０２（撮像部）、ライト１０３（発光部）、および赤外線センサ１０４（受光部）の少なくともいずれか１つである。ＮＦＣアンテナ１１、カメラ１０２、ライト１０３、および赤外線センサ１０４は、いずれも、ユーザが、使用時にユーザから見て外側の空間に向けて使用するものである。従って、ユーザは、ＮＦＣアンテナ１１、カメラ１０２、ライト１０３、および赤外線センサ１０４の少なくともいずれか１つを使用する際、不自然に腕を捻ることなく使用でき、かつ、端末２００の装着状態によらず自然な表示方向で表示部１２に表示された内容を確認することができる。
【００９８】
詳細は後述するが、端末２００において、ＮＦＣアンテナ１１、カメラ１０２、ライト１０３および赤外線センサ１０４は、ベルトＢ１部分に配置されている。従って、ユーザは、ＮＦＣアンテナ１１、カメラ１０２、ライト１０３、および赤外線センサ１０４が腕の尺骨側にくるように端末２００を装着することができる。そして、ユーザは、ＮＦＣアンテナ１１、カメラ１０２、ライト１０３および赤外線センサ１０４が尺骨側にくるように端末２００を装着することで、ＮＦＣアンテナ１１、カメラ１０２、ライト１０３および赤外線センサ１０４を使用する際に不自然に腕を捻る必要がない。また、ＮＦＣアンテナ１１、カメラ１０２、ライト１０３、および赤外線センサ１０４が腕の尺骨側にくるように端末２００を装着しながらユーザが表示部１２を見た場合、端末２００は、表示部１２における表示内容の表示方向を、ユーザにとって自然な表示方向に制御する。従って、ユーザは、端末２００を装着するのが右腕か左腕かによらずに、ユーザにとって自然な表示方向で表示部１２に表示される内容を確認することができ、端末２００はユーザの利便性および操作性を向上させることができる。例えば、ユーザは、尺骨側にあるカメラ１０２をユーザ側とは反対側に向けながら、ファインダーとしての表示部１２を確認しながら撮影することができる。また、撮影した映像は、ユーザにとって自然な表示方向で表示部１２に表示される。また、ユーザは、尺骨側にあるライト１０３を点灯して、ユーザ側とは反対側（例えば、ユーザの前方）を照らしたまま、表示部１２を見ることができる。なお、赤外線センサ１０４は、ユーザ側とは反対側に向けて、例えばユーザの周囲のセンシングのために使用する受光センサであり、照度センサおよび近接センサなどであってもよい。また、発光部としては、可視光を発光するものに限られず、他の装置に情報を送信する場合等に用いられる、赤外線などの不可視光線を発光するものであってもよい。
【００９９】
なお、端末２００において第１機能部１２０は、（ｉ）ＮＦＣアンテナ１１と、（ｉｉ）カメラ１０２、ライト１０３、および赤外線センサ１０４の少なくとも１つとを含んでもよい。すなわち、端末２００の第１機能部１２０について、ＮＦＣアンテナ１１を必須の構成としてもよい。ＮＦＣアンテナ１１を必須の構成とすることにより、ユーザは、端末２００を用いて、自然な姿勢で近距離非接触無線通信を行なうことができる。また、ユーザは、端末２００により、自然な姿勢でカメラ１０２、ライト１０３、および赤外線センサ１０４の少なくとも１つを使用することができる。さらに、ユーザは、端末２００の装着状態によらず自然な表示方向で表示部１２に表示された内容を確認することができる。なお、アンテナは近くに金属があると感度が落ちることがあるため、カメラ１０２、ライト１０３、および赤外線センサ１０４の少なくとも１つによりＮＦＣアンテナ１１の感度が低下する場合、感度低下の原因となるカメラ１０２、ライト１０３、および赤外線センサ１０４は、ＮＦＣアンテナ１１から適当な距離だけ離して設けられることが望ましい。
【０１００】
さらに、端末２００は、表示部１２を備えた通信端末であって、ユーザが端末２００を腕に装着した状態でユーザに向けて使用する第２機能部１３０が配置され、あるいは、第２機能部１３０を配置可能であり、端末２００が装着されるのがユーザの右腕か左腕か、および、端末２００が腕に装着される時に表示部１２は該腕の内側にあるか外側にあるか、に応じて、表示部１２における表示内容の表示方向を制御する表示方向制御部１１２１を備える。
【０１０１】
従って、端末２００は、ユーザが自然な姿勢で第２機能部１３０を使用できるとともに、装着されるのが右腕か左腕か、および装着される際に端末２００の表示部１２がユーザの腕の内側にあるか外側にあるか、によらずに、ユーザにとって自然な表示方向での表示を行なうことができる。
【０１０２】
ここで、第２機能部１３０は、入力受付部１０１（ユーザ入力受付部）、マイク１０５（ユーザ入力受付部）、およびＬＥＤ１０６（発光通知部）の少なくとも１つである。入力受付部１０１、マイク１０５、およびＬＥＤ１０６はいずれも、ユーザが、使用時にユーザに向けて使用するものである。従って、ユーザは、入力受付部１０１、マイク１０５、およびＬＥＤ１０６の少なくとも１つを使用する際、不自然に腕を捻ることなく使用でき、かつ、端末２００の装着状態によらず自然な表示方向で表示部１２に表示された内容を確認することができる。
【０１０３】
詳細は後述するが、端末２００において、入力受付部１０１、マイク１０５、およびＬＥＤ１０６は、ベルトＢ１部分に配置されている。従って、ユーザは、入力受付部１０１、マイク１０５、およびＬＥＤ１０６が腕の橈骨側にくるように端末２００を装着することができる。そして、ユーザは、入力受付部１０１、マイク１０５、およびＬＥＤ１０６が橈骨側にくるように端末２００を装着することで、入力受付部１０１、マイク１０５、およびＬＥＤ１０６を使用する際に不自然に腕を捻る必要がない。また、入力受付部１０１、マイク１０５、およびＬＥＤ１０６が腕の橈骨側にくるように端末２００を装着しながらユーザが表示部１２を見た場合、端末２００は、表示部１２における表示内容の表示方向を、ユーザにとって自然な表示方向に制御する。従って、ユーザは、端末２００を装着するのが右腕か左腕かによらずに、ユーザにとって自然な表示方向で表示部１２に表示される内容を確認することができ、端末２００はユーザの利便性および操作性を向上させることができる。例えば、ユーザ操作を受け付ける入力受付部１０１が橈骨側にあることで、ユーザは入力受付部１０１を操作しやすい。ユーザからの音声入力を受け付けるマイク１０５が橈骨側にあることで、ユーザはマイク１０５に向けて話しかけやすく、また、マイク１０５はユーザからの音声入力を効率的に受け付けることができる。さらに、ユーザは、表示部１２を見ながら、橈骨側にあるマイク１０５をユーザ自身に向けて会話を行うことが可能となる。また、ユーザにメール着信等を光によって通知するＬＥＤ１０６が橈骨側にあることで、ユーザは、表示部１２を見ながらであっても、ＬＥＤ１０６の点滅等による通知（アラート）に気付きやすい。なお、入力受付部１０１は、例えば、ユーザ操作を受け付けるボタンである。
【０１０４】
図１４は、上記端末２００の要部構成の一例を示すブロック図である。端末２００は、図１に例示する端末１および図９に例示する端末２の構成に加えてさらに、カメラ１０２、ライト１０３、赤外線センサ１０４、入力受付部１０１、マイク１０５、ＬＥＤ１０６を備える。また、端末２００の制御部５０には、端末１の制御部１０および端末２の制御部２０の構成に加えてさらに、操作判定部１４０が含まれている。
【０１０５】
操作判定部１４０は、例えば、入力受付部１０１およびマイク１０５によって受け付けられたユーザ操作に応じて、カメラ１０２に所定の処理を実行させたり、ライト１０３のＯＮ／ＯＦＦを切り替えたり、ＬＥＤ１０６の点滅を停止させたりする。また、ＬＥＤ１０６は、例えば、配列パターンや点滅パターンによってユーザにメール着信等を通知する１または複数個のＬＥＤである。
【０１０６】
ＮＦＣアンテナ１１、カメラ１０２、ライト１０３、および赤外線センサ１０４は、いずれも、ユーザが端末２００を腕に装着した状態でユーザ側とは反対側に向けて使用するものであり、第１機能部１２０に含まれる。これに対し、入力受付部１０１、マイク１０５、およびＬＥＤ１０６は、いずれも、ユーザが端末２００を腕に装着した状態でユーザに向けて使用するものであり、第２機能部１３０に含まれる。詳細は図１５を用いて後述するが、第１機能部１２０は、端末２００がユーザの腕に装着された状態において該腕の尺骨側に配置される。同様に、第２機能部１３０は、端末２００がユーザの腕に装着された状態において該腕の橈骨側に配置される。
【０１０７】
なお、第２機能部１３０は、ユーザに音声を通知するためのスピーカ部を含んでいてもよい。スピーカ部をユーザ側に向けることで、スピーカ部が出力する音声を周囲の人に聞こえにくくし、ユーザのみに対して音声を聞こえやすくすることができる。
【０１０８】
また、第２機能部１３０は、ユーザの肌の水分量などを計測する肌センサ、およびユーザの体温を計測する体温センサのような、各種の計測センサ部を含んでいてもよい。これにより、例えば、腕を顔などの他の部位に接触（近接）させ、肌の水分量および体温などの計測を行うことがより容易となる。
【０１０９】
ＮＦＣアンテナ１１は、例えばＦｅｌｉＣａ（登録商標）チップである第１通信制御部１１１（電子マネー決済機能を備える非接触型ＩＣチップ）のアンテナであり、表示部１２には、第１通信制御部１１１と電子マネー決済装置８との間で行われる電子マネー決済に係る情報であって、第１通信制御部１１１または電子マネー決済装置８から取得される情報が表示されてもよい。なお、端末２００は、電子マネー決済装置８から取得される上記情報を表示する場合、図１２および図１３を用いて説明したように、スマートフォン５等を介して、電子マネー決済装置８から出力される情報を表示してもよい。
【０１１０】
また、表示部１２には、第１通信制御部１１１のＩＤ（非接触型ＩＣチップの識別情報）が表示されてもよい。例えば、端末２００の生産工程において、ＮＦＣアンテナ１１のＩＤ（より正確には、第１通信制御部１１１のＩＤ）を、記憶部１５に基本表示情報１５１として格納しておいた場合、端末２００は以下の処理を実行することができる。すなわち、端末２００は、ＮＦＣアンテナ１１と制御部５０との接続ができない場合であっても、ＮＦＣアンテナ１１のＩＤを表示部１２に表示することができる。
【０１１１】
なお、念のため確認しておくと、端末２００において表示方向制御部１１２１は、端末１におけるのと同様に、表示部１２の表示内容の表示方向を、ユーザから自然に見えるように、制御する。すなわち、表示部１２の表示内容の表示方向は、ユーザによる端末２００の装着方法によらずに常に、ユーザから自然に見えるように制御される。従って、ユーザは、第１機能部１２０が腕の尺骨側に、第２機能部１３０が腕の橈骨側にくるように、端末２００を装着しながら、ユーザにとって自然に見える表示方向で表示部１２に表示された表示内容を確認することが可能となる。つまり、ユーザは、第１機能部１２０および第２機能部１３０を自然な姿勢で用いることができ、かつ、ユーザにとって自然に見える表示方向で表示部１２に表示された表示内容を確認することができる。
【０１１２】
図１５は、端末２００について、端末２００を左腕に装着した状態で端末２００を手のひら側から手の甲側の方向に沿って切断した断面における構造の概略を示す説明図である。図１５に示すように、第１機能部１２０（ＮＦＣアンテナ１１、カメラ１０２、ライト１０３および赤外線センサ１０４）および第２機能部１３０（入力受付部１０１、マイク１０５、およびＬＥＤ１０６）は、ベルトＢ１部分に配置されている。
【０１１３】
第１機能部１２０と第２機能部１３０とは、表示部１２を挟んで対向するベルトＢ１部分のそれぞれに配置されている。従って、ユーザは、第１機能部１２０が腕の尺骨側に位置するようにしつつ、第２機能部１３０が腕の橈骨側に位置するように、端末２００を装着することができる。
【０１１４】
特に、端末２００において、ＮＦＣアンテナ１１は、表示部１２とは別のベルトＢ１部分に配置され、ユーザが端末１を装着した際にユーザの腕の小指側（尺骨側）にＮＦＣアンテナ１１がくるよう配置され、または配置可能である。
【０１１５】
また端末２００において、制御部５０は、ＮＦＣアンテナ１１から分離して配置されている。制御部５０をＮＦＣアンテナ１１から分離して配置することにより、端末２００は、制御部５０とＮＦＣアンテナ１１とを一体型にした構成に比べて、構造を薄くできる。
【０１１６】
〔実施形態６〕
ブレスレット型通信端末１、２、３、４（端末１、２、３、４）、および２００の制御部１０、２０、３０、４０、および５０（特に、第１通信制御部１１１、表示制御部１１２、表示方向制御部１１２１、第２通信制御部１１３）は、集積回路（ＩＣチップ）などに形成された論理回路（ハードウェア）によって実現してもよいし、ＣＰＵ（Central Processing Unit）を用いてソフトウェアによって実現してもよい。後者の場合、端末１、２、３、４、および２００は、各機能を実現するソフトウェアであるプログラムの命令を実行するＣＰＵ、上記プログラムおよび各種データがコンピュータ（またはＣＰＵ）で読み取り可能に記録されたＲＯＭ（Read Only Memory）または記憶装置（これらを「記録媒体」と称する）、上記プログラムを展開するＲＡＭ（Random Access Memory）などを備えている。そして、コンピュータ（またはＣＰＵ）が上記プログラムを上記記録媒体から読み取って実行することにより、本発明の目的が達成される。上記記録媒体としては、「一時的でない有形の媒体」、例えば、テープ、ディスク、カード、半導体メモリ、プログラマブルな論理回路などを用いることができる。また、上記プログラムは、該プログラムを伝送可能な任意の伝送媒体（通信ネットワークや放送波など）を介して上記コンピュータに供給されてもよい。なお、本発明は、上記プログラムが電子的な伝送によって具現化された、搬送波に埋め込まれたデータ信号の形態でも実現され得る。
【０１１７】
〔まとめ〕
本発明の態様１に係る通信端末（ブレスレット型通信端末１、２、３、４、および２００）は、表示部（１２）を備えた通信端末であって、ユーザが上記通信端末を腕に装着した状態でユーザ側とは反対側に向けて使用する第１機能部（１２０）が配置され、あるいは、該第１機能部を配置可能であり、上記通信端末が装着されるのがユーザの右腕か左腕か、および、上記通信端末が腕に装着される時に上記表示部は該腕の内側にあるか外側にあるか、に応じて、上記表示部における表示内容の表示方向を制御する表示方向制御部（１１２１）を備えていることを特徴としている。
【０１１８】
上記の構成によれば、上記通信端末は、ユーザが自然な姿勢で上記第１機能部を使用できるとともに、装着されるのが右腕か左腕か、および装着される際に上記通信端末の表示部がユーザの腕の内側にあるか外側にあるか、によらずに、ユーザにとって自然な表示方向での表示を行なうことができる。
【０１１９】
本発明の態様２に係る通信端末は、上記態様１において、上記第１機能部は、近距離非接触無線通信を行なうためのアンテナ（ＮＦＣアンテナ１１）、撮像部（カメラ１０２）、発光部（ライト１０３）、および受光部（赤外線センサ１０４）の少なくともいずれか１つであってもよい。
【０１２０】
上記の構成によれば、第１機能部は、近距離非接触無線通信を行なうためのアンテナ、撮像部、発光部、および受光部の少なくともいずれか１つであり、これらはいずれも、ユーザが、使用時にユーザから見て外側の空間に向けて使用するものである。
【０１２１】
従って、ユーザは、近距離非接触無線通信を行なうためのアンテナ、撮像部、発光部、および受光部の少なくともいずれか１つを使用する際、不自然に腕を捻ることなく使用でき、かつ、上記通信端末の装着状態によらず自然な表示方向で上記表示部に表示された内容を確認することができる。
【０１２２】
本発明の態様３に係る通信端末は、上記態様１において、上記第１機能部は、（ｉ）近距離非接触無線通信を行なうためのアンテナ（ＮＦＣアンテナ１１）と、（ｉｉ）撮像部（カメラ１０２）、発光部（ライト１０３）、および受光部（赤外線センサ１０４）の少なくとも１つとを含んでもよい。
【０１２３】
上記の構成によれば、上記通信端末は、ユーザが自然な姿勢で近距離非接触無線通信を行なうことができ、また自然な姿勢で撮像部、発光部、および受光部の少なくとも一方を使用することができるとともに、上記通信端末の装着状態によらず自然な表示方向で上記表示部に表示された内容を確認することができる。なお、アンテナについて、近くに金属があると感度が落ちる場合、該アンテナの感度の低下の原因となっている撮像部、発光部、および受光部の少なくとも１つは、該アンテナから適当な距離だけ離して設けられることが望ましい。
【０１２４】
本発明の態様４に係る通信端末（ブレスレット型通信端末１、２、３、４、および２００）は、表示部（１２）を備えた通信端末であって、ユーザが上記通信端末を腕に装着した状態でユーザに向けて使用する第２機能部（１３０）が配置され、あるいは、該第２機能部を配置可能であり、上記通信端末が装着されるのがユーザの右腕か左腕か、および、上記通信端末が腕に装着される時に上記表示部は該腕の内側にあるか外側にあるか、に応じて、上記表示部における表示内容の表示方向を制御する表示方向制御部（１１２１）を備えていることを特徴としている。
【０１２５】
上記の構成によれば、上記通信端末は、ユーザが自然な姿勢で上記第２機能部を使用できるとともに、装着されるのが右腕か左腕か、および装着される際に上記通信端末の表示部がユーザの腕の内側にあるか外側にあるか、によらずに、ユーザにとって自然な表示方向での表示を行なうことができる。
【０１２６】
本発明の態様５に係る通信端末は、上記態様４において、上記第２機能部は、ユーザ入力受付部（入力受付部１０１およびマイク１０５の少なくとも一方）、発光通知部（ＬＥＤ１０６）、スピーカ部および計測センサ部の少なくともいずれか１つであってもよい。
【０１２７】
上記の構成によれば、第２機能部は、ユーザ入力受付部、発光通知部、スピーカ部および計測センサ部の少なくともいずれか１つであり、これらはいずれも、ユーザが、使用時にユーザに向けて使用するものである。
【０１２８】
従って、ユーザは、ユーザ入力受付部、発光通知部、スピーカ部および計測センサ部の少なくともいずれか１つを使用する際、不自然に腕を捻ることなく使用でき、かつ、上記通信端末の装着状態によらず自然な表示方向で上記表示部に表示された内容を確認することができる。
【０１２９】
本発明の態様６に係る通信端末（ブレスレット型通信端末１、および２００）は、上記態様１から５の何れかにおいて、上記通信端末が装着されるのがユーザの右腕か左腕か、および、上記通信端末が腕に装着される時に上記表示部は該腕の内側にあるか外側にあるかが選択される入力部（１７）をさらに備え、上記表示方向制御部は、上記入力部から取得する選択結果に応じて、上記表示部における表示内容の表示方向を制御してもよい。
【０１３０】
上記の構成によれば、上記表示方向制御部は、上記入力部を介し、ユーザの装着状態を、つまり、上記通信端末が左右どちらの腕に装着されるか、および、上記表示部が腕の内側にくるように装着されるか外側にくるように装着されるかの情報を、取得する。そして、上記表示方向制御部は、上記装着状態に基づき、上記表示部の表示内容の表示方向を制御する。従って、上記通信端末が左右どちらの腕に装着されるか、および、上記表示部が腕の内側にくるように装着されるか外側にくるように装着されるか、が上記入力部において選択されることにより、上記通信端末は、装着されるのが右腕か左腕か、および、上記表示部が腕の内側にくるように装着されるか外側にくるように装着されるか、によらずに、ユーザにとって自然な表示方向で、上記表示部に表示を行なうことができる。また、上記入力部に入力される装着状態に基づき、上記表示方向制御部が、表示内容がユーザから自然に見えるように、上記表示部の表示内容の表示方向を制御するので、ユーザは常に、上記第１アンテナが腕の尺骨側に位置するように、上記通信端末を装着することができる。従って、上記通信端末を左右どちらの腕に装着するか、および、上記表示部が腕の内側にくるように装着するか外側にくるように装着するか、によらずに、ユーザは、上記通信端末を用いて、自然な姿勢で近距離非接触無線通信を行なうことができる。
【０１３１】
なお、上記入力部は、上記通信端末において、上記第１アンテナに対向する側、すなわち、腕の親指側（橈骨側）に配置されていることが好ましい。このように配置することにより、上記表示方向制御部が、上記通信端末が左右どちらの腕（手首）に装着されるか、および、上記表示部が腕の内側にくるように装着されるか外側にくるように装着されるか、に応じて、上記表示部における表示内容の表示方向を制御するので、上記入力部は常に、上記通信端末を装着する腕の親指側（橈骨側）に位置することになる。従って、ユーザは、上記表示部の表示内容がユーザから見て上下左右逆さまになってしまうことなく、かつ、上記入力部が常にユーザの手首の橈骨側に位置するように、上記通信端末を左右どちらの腕にも装着することができる。上記入力部が常にユーザの手首の親指側にあるため、ユーザは、上記通信端末を装着している手とは逆の側の手で、上記入力部を操作しやすい。すなわち、ユーザが、例えば、手のひらを下に向けたり、手の小指側を外部の近距離非接触無線通信装置に近接させている途中で、上記入力部を操作する動作を行なおうとする際、ユーザは、腕（手首）をひっくりかえすなどの不自然な動作をしなくともよい。つまり、ユーザが、手首の尺骨側または手のひらを何かにかざすような動作をしている最中であっても、上記入力部は常に手首の親指側にあるため、手首を捻ることなく、上記通信端末を装着している手とは逆の手で、上記入力部を操作できる。
【０１３２】
本発明の態様７に係る通信端末（ブレスレット型通信端末２）は、上記態様１から５の何れかにおいて、上記通信端末の加速度を検出する加速度センサ（１８）をさらに備え、上記表示方向制御部は、上記加速度センサから取得する検出結果に基づいて、上記通信端末が装着されるのがユーザの右腕か左腕か、および、上記通信端末が腕に装着される時に上記表示部は該腕の内側にあるか外側にあるかを判定し、上記表示部における表示内容の表示方向を制御してもよい。
【０１３３】
上記の構成によれば、上記表示方向制御部は、上記加速度センサが検出する上記通信端末の移動に係る検知結果に基づいて、上記通信端末が左右のどちらの腕に装着されているか、および上記通信端末が装着される時に上記表示部は腕の内側にあるか外側にあるか、を判定する。そして、上記表示方向制御部は、上記判定の結果に基づいて、上記表示部における表示内容の表示方向を制御する。従って、ユーザは、上記通信端末を左右のどちらの腕に装着するか、および上記通信端末が装着される時に上記表示部は腕の内側にあるか外側にあるかの選択を、上記入力部を操作して上記通信端末に通知する必要がなく、利便性が向上する。
【０１３４】
本発明の態様８に係る通信端末（ブレスレット型通信端末３）は、上記態様１から５の何れかにおいて、外部の設定装置（スマートフォン５）と通信を行なうための第２アンテナ（近距離無線アンテナ１９）をさらに備え、上記表示方向制御部は、上記第２アンテナを介して、上記外部の設定装置から、上記通信端末が装着されるのがユーザの右腕か左腕か、および、上記通信端末が腕に装着される時に上記表示部は該腕の内側にあるか外側にあるかについての情報を取得し、該情報に基づいて、上記表示部における表示内容の表示方向を制御してもよい。
【０１３５】
上記の構成によれば、上記表示方向制御部は、上記外部の設定装置から、上記通信端末が左右のどちらの腕に装着されるか、および上記通信端末が装着される時に上記表示部は腕の内側にあるか外側にあるかの選択に係る情報を取得でき、該情報に基づき、上記表示部に表示される内容の表示方向を制御する。また、上記通信端末は、上記外部の設定装置と通信できるため、例えば残高情報など、上記外部の設定装置の有する情報、および上記外部の設定装置を介して取得することのできる情報を取得することができ、これらの情報を上記表示部に表示させることができる。なお、上記第２アンテナは、例えば、近距離無線アンテナを用いることができるが、近距離無線アンテナに限定されるものではなく、上記外部の設定装置と通信を行なうことのできるアンテナであればよい。
【０１３６】
本発明の態様９に係る通信端末（ブレスレット型通信端末１、２、３、４および、２００）は、上記態様２または３において、上記表示方向制御部を含む、自端末の機能を統括して制御する制御部（１０、２０、３０、４０および、５０）は、上記アンテナ（ＮＦＣアンテナ１１）から分離して配置されていてもよい。
【０１３７】
上記の構成によれば、上記通信端末は、制御部とアンテナとが一体型の従来の通信端末に比べて、全体として構造を薄くすることができ、例えば、ユーザが腕に装着した場合の違和感を抑えることが可能となる。
【０１３８】
本発明の態様１０に係る通信端末は、上記態様２または３において、上記アンテナは電子マネー決済機能を備える非接触型ＩＣチップのアンテナであり、上記表示部には、上記非接触型ＩＣチップと外部の電子マネー決済装置（８）との間で行われる電子マネー決済に係る情報であって、上記非接触型ＩＣチップまたは上記電子マネー決済装置から取得される情報が表示されてもよい。
【０１３９】
上記の構成によれば、上記通信端末の上記表示部に、上記非接触型ＩＣチップと上記外部の電子マネー決済装置との間で行われる電子マネー決済に係る情報が表示される。従って、ユーザは、上記通信端末以外の装置（例えば、スマートフォン５等）を用いずに、腕に装着している上記通信端末の上記表示部を見るだけで、上記電子マネー決済に係る情報（例えば、電子マネーの残高、支払い金額など）を確認することができる。
【０１４０】
本発明の態様１１に係る通信端末は、上記態様２または３において、上記アンテナは非接触型ＩＣチップのアンテナであり、上記表示部には、上記非接触型ＩＣチップの識別情報が表示されてもよい。
【０１４１】
上記の構成によれば、上記通信端末の上記表示部には、上記非接触型ＩＣチップの識別情報が表示される。特に、上記通信端末の生産工程において、上記非接触型ＩＣチップの識別情報（ＮＦＣアンテナ１１のＩＤ）を、上記通信端末の記憶部に格納しておいた場合、上記通信端末は以下の処理を実行することができる。すなわち、上記通信端末は、上記アンテナと上記制御部との接続ができない場合であっても、上記非接触型ＩＣチップの識別情報を上記表示部に表示することができる。
【０１４２】
本発明の態様１２に係る制御方法は、表示部を備えた通信端末の制御方法であって、上記通信端末は、ユーザが上記通信端末を腕に装着した状態でユーザ側とは反対側に向けて使用する第１機能部が配置され、あるいは、該第１機能部を配置可能であり、上記通信端末が装着されるのがユーザの右腕か左腕か、および、上記通信端末が腕に装着される時に上記表示部は該腕の内側にあるか外側にあるか、に応じて、上記表示部における表示内容の表示方向を制御する表示方向制御ステップを含むことを特徴としている。
【０１４３】
上記の方法によれば、態様１と同様の効果を奏する。
【０１４４】
本発明の態様１３に係る制御方法は、表示部を備えた通信端末の制御方法であって、上記通信端末は、ユーザが上記通信端末を腕に装着した状態でユーザに向けて使用する第２機能部が配置され、あるいは、該第２機能部を配置可能であり、上記通信端末が装着されるのがユーザの右腕か左腕か、および、上記通信端末が腕に装着される時に上記表示部は該腕の内側にあるか外側にあるか、に応じて、上記表示部における表示内容の表示方向を制御する表示方向制御ステップを含むことを特徴としている。
【０１４５】
上記の方法によれば、態様４と同様の効果を奏する。
【０１４６】
〔整理〕
本発明の態様１に係る通信端末（ブレスレット型通信端末１〜４）は、表示部（１２）を備えた通信端末であって、上記通信端末がユーザの腕に装着された状態において該腕の尺骨側に、ユーザが上記通信端末を腕に装着した状態で近距離非接触無線通信を行なうための第１アンテナ（ＮＦＣアンテナ１１）が配置され、あるいは、該腕の尺骨側に該第１アンテナ（ＮＦＣアンテナ６１）を配置可能であり、上記通信端末が装着されるのがユーザの右腕か左腕か、および、上記通信端末が腕に装着される時に上記表示部は該腕の内側にあるか外側にあるか、に応じて、上記表示部における表示内容の表示方向を制御する表示方向制御部（１１２１）を備えていることを特徴としている。
【０１４７】
上記の構成によれば、上記通信端末は、ユーザが自然な姿勢で近距離非接触無線通信を行なうことができるとともに、装着されるのが右腕か左腕か、および装着される際に上記通信端末の上記表示部がユーザの腕の内側にあるか外側にあるか、によらずに、ユーザにとって自然な表示方向での表示を行なうことができる。すなわち、上記表示方向制御部は、上記通信端末が装着されるのが右腕か左腕か、および装着される際に上記通信端末の上記表示部がユーザの腕の内側にあるか外側にあるか、によらずに、上記第１アンテナが上記通信端末を装着する腕の尺骨側に位置するように、上記表示部における表示内容の表示の向きを切り替える。従って、ユーザは、上記通信端末を用いて、自然な姿勢で近距離非接触無線通信を行うことができるとともに、上記表示部に表示される内容の表示方向は、常にユーザにとって自然な表示方向となる。
【０１４８】
本発明の態様２に係る通信端末は、上記態様１において、上記表示部は、上記通信端末が腕に装着される場合に該腕の内側に位置するように配置されてもよい。
【０１４９】
上記の構成によれば、上記表示部がユーザの腕（手首）の内側に位置するように配置されていることによって、上記表示部に表示される内容は、ユーザ以外の他者から見えにくくなる。特に、例えば電子マネー決済の課金情報などの情報が上記表示部に表示される場合、ユーザは、ユーザ以外の他者に、上記表示部に表示される内容を覗かれたくないと考えられる。上記通信端末においては、上記表示部が手首の内側に位置するように配置されているため、ユーザは、上記表示部に表示される課金情報などの表示内容をユーザ以外の他者から覗かれることを防ぎやすくなる。なお、上記表示部には、例えば時刻などの情報が表示されてもよい。また、一般的に、各種の情報が表示される上記表示部が腕（手首）の内側にあることによって、ユーザは心理的にも安心感を持ちやすい。さらに、上記表示部は、上記通信端末を装着した腕（手首）の内側に位置するように配置されていることによって、該腕の尺骨側または橈骨側に配置される場合に比べて、大きな面積を有することができる。
【０１５０】
本発明の態様３に係る通信端末は、上記態様１または２において、上記通信端末が装着されるのがユーザの右腕か左腕か、および、上記通信端末が腕に装着される時に上記表示部は該腕の内側にあるか外側にあるかが選択される入力部（１７）をさらに備え、上記表示方向制御部は、上記入力部から取得する選択結果に応じて、上記表示部における表示内容の表示方向を制御してもよい。
【０１５１】
上記の構成によれば、上記表示方向制御部は、上記入力部を介し、ユーザの装着状態を、つまり、上記通信端末が左右どちらの腕に装着されるか、および、上記表示部が腕の内側にくるように装着されるか外側にくるように装着されるかの情報を、取得する。そして、上記表示方向制御部は、上記装着状態に基づき、上記表示部の表示内容の表示方向を制御する。従って、上記通信端末が左右どちらの腕に装着されるか、および、上記表示部が腕の内側にくるように装着されるか外側にくるように装着されるか、が上記入力部において選択されることにより、上記通信端末は、装着されるのが右腕か左腕か、および、上記表示部が腕の内側にくるように装着されるか外側にくるように装着されるか、によらずに、ユーザにとって自然な表示方向で、上記表示部に表示を行なうことができる。また、上記入力部に入力される装着状態に基づき、上記表示方向制御部が、表示内容がユーザから自然に見えるように、上記表示部の表示内容の表示方向を制御するので、ユーザは常に、上記第１アンテナが腕の尺骨側に位置するように、上記通信端末を装着することができる。従って、上記通信端末を左右どちらの腕に装着するか、および、上記表示部が腕の内側にくるように装着するか外側にくるように装着するか、によらずに、ユーザは、上記通信端末を用いて、自然な姿勢で近距離非接触無線通信を行なうことができる。
【０１５２】
なお、上記入力部は、上記通信端末において、上記第１アンテナに対向する側、すなわち、腕の親指側（橈骨側）に配置されていることが好ましい。このように配置することにより、上記表示方向制御部が、上記通信端末が左右どちらの腕（手首）に装着されるか、および、上記表示部が腕の内側にくるように装着されるか外側にくるように装着されるか、に応じて、上記表示部における表示内容の表示方向を制御するので、上記入力部は常に、上記通信端末を装着する腕の親指側（橈骨側）に位置することになる。従って、ユーザは、上記表示部の表示内容がユーザから見て上下左右逆さまになってしまうことなく、かつ、上記入力部が常にユーザの手首の橈骨側に位置するように、上記通信端末を左右どちらの腕にも装着することができる。上記入力部が常にユーザの手首の親指側にあるため、ユーザは、上記通信端末を装着している手とは逆の側の手で、上記入力部を操作しやすい。すなわち、ユーザが、例えば、手のひらを下に向けたり、手の小指側を外部の近距離非接触無線通信装置に近接させている途中で、上記入力部を操作する動作を行なおうとする際、ユーザは、腕（手首）をひっくりかえすなどの不自然な動作をしなくともよい。つまり、ユーザが、手首の尺骨側または手のひらを何かにかざすような動作をしている最中であっても、上記入力部は常に手首の親指側にあるため、手首を捻ることなく、上記通信端末を装着している手とは逆の手で、上記入力部を操作できる。
【０１５３】
本発明の態様４に係る通信端末（ブレスレット型通信端末２）は、上記態様１または２において、上記通信端末の加速度を検出する加速度センサ（１８）をさらに備え、上記表示方向制御部は、上記加速度センサから取得する検出結果に基づいて、上記通信端末が装着されるのがユーザの右腕か左腕か、および、上記通信端末が腕に装着される時に上記表示部は該腕の内側にあるか外側にあるかを判定し、上記表示部における表示内容の表示方向を制御してもよい。
【０１５４】
上記の構成によれば、上記表示方向制御部は、上記加速度センサが検出する上記通信端末の移動に係る検知結果に基づいて、上記通信端末が左右のどちらの腕に装着されているか、および上記通信端末が装着される時に上記表示部は腕の内側にあるか外側にあるか、を判定する。そして、上記表示方向制御部は、上記判定の結果に基づいて、上記表示部における表示内容の表示方向を制御する。従って、ユーザは、上記通信端末を左右のどちらの腕に装着するか、および上記通信端末が装着される時に上記表示部は腕の内側にあるか外側にあるかの選択を、上記入力部を操作して上記通信端末に通知する必要がなく、利便性が向上する。
【０１５５】
本発明の態様５に係る通信端末（ブレスレット型通信端末３）は、上記態様１または２において、外部の設定装置（スマートフォン５）と通信を行なうための第２アンテナ（近距離無線アンテナ１９）をさらに備え、上記表示方向制御部は、上記第２アンテナを介して、上記外部の設定装置から、上記通信端末が装着されるのがユーザの右腕か左腕か、および、上記通信端末が腕に装着される時に上記表示部は該腕の内側にあるか外側にあるかについての情報を取得し、該情報に基づいて、上記表示部における表示内容の表示方向を制御してもよい。
【０１５６】
上記の構成によれば、上記表示方向制御部は、上記外部の設定装置から、上記通信端末が左右のどちらの腕に装着されるか、および上記通信端末が装着される時に上記表示部は腕の内側にあるか外側にあるかの選択に係る情報を取得でき、該情報に基づき、上記表示部に表示される内容の表示方向を制御する。また、上記通信端末は、上記外部の設定装置と通信できるため、例えば残高情報など、上記外部の設定装置の有する情報、および上記外部の設定装置を介して取得することのできる情報を取得することができ、これらの情報を上記表示部に表示させることができる。なお、上記第２アンテナは、例えば、近距離無線アンテナを用いることができるが、近距離無線アンテナに限定されるものではなく、上記外部の設定装置と通信を行なうことのできるアンテナであればよい。
【０１５７】
本発明の態様６に係る制御方法は、表示部を備えた通信端末の制御方法であって、上記通信端末は、上記通信端末がユーザの腕に装着された状態において該腕の尺骨側に、ユーザが上記通信端末を腕に装着した状態で近距離非接触無線通信を行なうための第１アンテナが配置され、あるいは、該腕の尺骨側に該第１アンテナを配置可能であり、上記通信端末が装着されるのがユーザの右腕か左腕か、および、上記通信端末が腕に装着される時に上記表示部は該腕の内側にあるか外側にあるか、に応じて、上記表示部における表示内容の表示方向を制御する表示方向制御ステップ（Ｓ１１〜Ｓ１７）を含むことを特徴としている。
【０１５８】
上記の方法によれば、態様１と同様の効果を奏する。
【０１５９】
なお、上記通信端末は、コンピュータによって実現してもよく、この場合には、コンピュータを上記表示方向制御部として動作させることにより上記通信端末をコンピュータにて実現させる通信端末の制御プログラム、およびそれを記録したコンピュータ読み取り可能な記録媒体も、本発明の範疇に入る。
【０１６０】
本発明は上述した各実施形態に限定されるものではなく、請求項に示した範囲で種々の変更が可能であり、異なる実施形態にそれぞれ開示された技術的手段を適宜組み合わせて得られる実施形態についても本発明の技術的範囲に含まれる。さらに、各実施形態にそれぞれ開示された技術的手段を組み合わせることにより、新しい技術的特徴を形成することができる。
【産業上の利用可能性】
【０１６１】
本発明は、ユーザが腕に装着し、表示部を備えた通信端末に広く適用することができる。
【符号の説明】
【０１６２】
１  ブレスレット型通信端末（通信端末）
２  ブレスレット型通信端末（通信端末）
３  ブレスレット型通信端末（通信端末）
４  ブレスレット型通信端末（通信端末）
５  スマートフォン（外部の設定装置）
８  電子マネー決済装置
１０  制御部
１１  ＮＦＣアンテナ（近距離非接触無線通信を行なうためのアンテナ）
１２  表示部
１７  入力部
１８  加速度センサ
１９  近距離無線アンテナ（第２アンテナ）
２０  制御部
３０  制御部
４０  制御部
５０  制御部
６１  ＮＦＣアンテナ（近距離非接触無線通信を行なうためのアンテナ）
１０１  入力受付部（ユーザ入力受付部）
１０２  カメラ（撮像部）
１０３  ライト（発光部）
１０４  赤外線センサ（受光部）
１０５  マイク（ユーザ入力受付部）
１０６  ＬＥＤ（発光通知部）
１２０  第１機能部
１３０  第２機能部
２００  ブレスレット型通信端末（通信端末）
１１２１  表示方向制御部
【図１】
2015076206.tif 000003
【図２】
2015076206.tif 000004
【図３】
2015076206.tif 000005
【図４】
2015076206.tif 000006
【図５】
2015076206.tif 000007
【図６】
2015076206.tif 000008
【図７】
2015076206.tif 000009
【図８】
2015076206.tif 000010
【図９】
2015076206.tif 000011
【図１０】
2015076206.tif 000012
【図１１】
2015076206.tif 000013
【図１２】
2015076206.tif 000014
【図１３】
2015076206.tif 000015
【図１４】
2015076206.tif 000016
【図１５】
2015076206.tif 000017
【国際調査報告】
2015076206.tif 000018
2015076206.tif 000019
2015076206.tif 000020